(57)【特許請求の範囲】
【請求項１】
発信元についての情報を音声出力可能な発話部と、
着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、
前記着信があると、前記発信元についての情報の音声出力とは異なる着信音を出力する鳴動部と、を備え、
前記発話部による前記発信元についての情報の音声出力が行われずに、前記鳴動部による着信音のみが出力される場合、前記自動応答出力部は、前記着信から前記所定期間が経過したタイミングで、前記発信元および着信を受けるユーザの少なくとも一方に前記所定のメッセージを発話し、
前記鳴動部は、前記着信音として、連続する一連の音である連続音の再生を継続するとともに、前記発話部による前記発信元についての情報の音声出力中は、前記連続音の音量をゼロまたは所定の値として、前記連続音を出力し、
前記自動応答出力部は、ＣＩ信号のオンオフの切り替え回数が前記着信から所定の回数に達したとき、前記着信から前記所定期間が経過したとして、前記発話部によって前記発信元についての情報が音声出力されていないことを検知したタイミングで、前記発信元および着信を受けるユーザの少なくとも一方に前記所定のメッセージを発話することを特徴とする通信端末装置。
【請求項２】
発信元についての情報を音声出力可能な発話部と、
着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、を備え、
トールセーバ機能がオンに設定されている場合、前記自動応答出力部は、呼び出し音の鳴動回数が、新規の留守番電話メッセージが録音されているか否かに対応付けられた値になると、前記発話部によって前記発信元についての情報が音声出力されている途中であることを検知しても、前記発信元についての情報の音声出力を停止させて、前記発信元および着信を受けるユーザの少なくとも一方に前記所定のメッセージを発話することを特徴とする通信端末装置。
【請求項３】
発信元についての情報を音声出力可能な発話部と、
着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、を備え、
前記自動応答出力部は、
（ｉ）ユーザが在宅中であることが設定されていると、前記着信から前記所定期間が経過した後、前記発話部によって前記発信元についての情報が音声出力されていないことを検知したタイミングで、前記発信元および着信を受けるユーザの少なくとも一方に前記所定のメッセージを発話し、
（ｉｉ）ユーザが留守中であることが設定されていると、前記発話部によって前記発信元についての情報が音声出力されている途中であることを検知しても、前記着信から前記所定期間が経過したタイミングで、前記発信元および着信を受けるユーザの少なくとも一方に前記所定のメッセージを発話することを特徴とする通信端末装置。
【請求項４】
前記鳴動部は、前記着信音として、ＣＩ信号のオンオフの周期と同期して鳴動と休止とを繰り返すリンガー音を出力し、
前記自動応答出力部は、前記鳴動部による前記リンガー音の出力回数が前記着信から所定の回数に達したとき、前記着信から前記所定期間が経過したとして、前記発話部によって前記発信元についての情報が音声出力されていないことを検知したタイミングで、前記発信元および着信を受けるユーザの少なくとも一方に前記所定のメッセージを発話することを特徴とする請求項１に記載の通信端末装置。
【請求項５】
前記発信元についての情報は、前記発信元についてのテキスト情報であることを特徴とする請求項１から４のいずれか１項に記載の通信端末装置。
【請求項６】
発信元についての情報を音声出力可能な発話ステップと、
着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、
さらに、前記着信があると、前記発信元についての情報の音声出力とは異なる着信音を出力する鳴動ステップを含み、
前記発話ステップにて前記発信元についての情報の音声出力が行われずに、前記鳴動ステップにて着信音のみが出力される場合、前記自動応答出力ステップでは、前記着信から前記所定期間が経過したタイミングで、前記発信元および着信を受けるユーザの少なくとも一方に前記所定のメッセージを発話し、
前記鳴動ステップでは、前記着信音として、連続する一連の音である連続音の再生を継続するとともに、前記発話ステップで前記発信元についての情報の音声出力中は、前記連続音の音量をゼロまたは所定の値として、前記連続音を出力し、
前記自動応答出力ステップでは、ＣＩ信号のオンオフの切り替え回数が前記着信から所定の回数に達したとき、前記着信から前記所定期間が経過したとして、前記発話ステップにて前記発信元についての情報が音声出力されていないことを検知したタイミングで、前記発信元および着信を受けるユーザの少なくとも一方に前記所定のメッセージを発話することを特徴とする通信端末装置の制御方法。
【請求項７】
発信元についての情報を音声出力可能な発話ステップと、
着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、
トールセーバ機能がオンに設定されている場合、前記自動応答出力ステップでは、呼び出し音の鳴動回数が、新規の留守番電話メッセージが録音されているか否かに対応付けられた値になると、前記発話ステップにて前記発信元についての情報が音声出力されている途中であることを検知しても、前記発信元についての情報の音声出力を停止させて、前記発信元および着信を受けるユーザの少なくとも一方に前記所定のメッセージを発話することを特徴とする通信端末装置の制御方法。
【請求項８】
発信元についての情報を音声出力可能な発話ステップと、
着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、
前記自動応答出力ステップでは、
（ｉ）ユーザが在宅中であることが設定されていると、前記着信から前記所定期間が経過した後、前記発話ステップにて前記発信元についての情報が音声出力されていないことを検知したタイミングで、前記発信元および着信を受けるユーザの少なくとも一方に前記所定のメッセージを発話し、
（ｉｉ）ユーザが留守中であることが設定されていると、前記発話ステップにて前記発信元についての情報が音声出力されている途中であることを検知しても、前記着信から前記所定期間が経過したタイミングで、前記発信元および着信を受けるユーザの少なくとも一方に前記所定のメッセージを発話することを特徴とする通信端末装置の制御方法。
【発明の詳細な説明】
【技術分野】
【０００１】
本発明は、着信時に発信元の情報を音声出力する機能を有する通信端末装置等に関する。
【背景技術】
【０００２】
従来、発信元の情報（発信元情報）を音声出力する機能を備える電話機が知られている。例えば、文章または単語等のテキストを音声に変換して読み上げるＴＴＳ（Text To Speech）機能を有し、予め登録された電話番号からの着信があると当該電話番号に対応付けられている氏名名称などの情報を読み上げる電話機が知られている。
【０００３】
また、用件メッセージの録音を行う留守番電話機能など、着信から所定の時間が経過すると発信元に対して予め設定された応答処理を実行する自動応答機能を有する電話機が従来から知られている。
【０００４】
例えば、下掲の特許文献１には、相手先（発信元）に応じて着信から用件メッセージ録音開始までの時間を設定可能な留守番電話装置が記載されている。
【先行技術文献】
【特許文献】
【０００５】
【特許文献１】特開２００８−１３１４４７（２００８年６月５日公開）
【発明の概要】
【発明が解決しようとする課題】
【０００６】
しかしながら、特許文献１に記載の従来技術は、発信元情報の音声出力機能と自動応答機能との調整について、何らの開示も示唆もしていない。例えば、ＴＴＳ（Text To Speech）機能と自動応答機能とを有する従来までの留守番電話装置は、着信から所定期間が経過すると、発信元についての情報を読み上げている途中であっても読み上げを中止し、前記留守番電話機能を実行する。したがって、前記従来までの留守番電話装置は、前記着信を受けたユーザが前記発信元についての情報を聴き終わっていないにもかかわらず前記留守番電話機能を実行するため、発信元についての情報を完全に聞き取ることができず、ユーザ利便性が低いという問題がある。
【０００７】
本発明は、前記の問題点に鑑みてなされたものであり、その目的は、着信から所定期間が経過した後、発信元についての情報の音声出力を中断せずに自動応答機能を実行することにより、ユーザ利便性を向上させた通信端末装置等を実現することにある。
【課題を解決するための手段】
【０００８】
上記の課題を解決するために、本発明の一態様に係る通信端末装置は、発信元についての情報を音声出力可能な発話部と、着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、前記着信があると、前記発信元についての情報の音声出力とは異なる着信音を出力する鳴動部と、を備え、前記発話部による前記発信元についての情報の音声出力が行われずに、前記鳴動部による着信音のみが出力される場合、前記自動応答出力部は、前記着信から前記所定期間が経過したタイミングで、前記発信元および着信を受けるユーザの少なくとも一方に前記所定のメッセージを発話し、前記鳴動部は、前記着信音として、連続する一連の音である連続音の再生を継続するとともに、前記発話部による前記発信元についての情報の音声出力中は、前記連続音の音量をゼロまたは所定の値として、前記連続音を出力し、前記自動応答出力部は、ＣＩ信号のオンオフの切り替え回数が前記着信から所定の回数に達したとき、前記着信から前記所定期間が経過したとして、前記発話部によって前記発信元についての情報が音声出力されていないことを検知したタイミングで、前記発信元および着信を受けるユーザの少なくとも一方に前記所定のメッセージを発話する。
また、上記の課題を解決するために、本発明の一態様に係る通信端末装置は、発信元についての情報を音声出力可能な発話部と、着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、を備え、トールセーバ機能がオンに設定されている場合、前記自動応答出力部は、呼び出し音の鳴動回数が、新規の留守番電話メッセージが録音されているか否かに対応付けられた値になると、前記発話部によって前記発信元についての情報が音声出力されている途中であることを検知しても、前記発信元についての情報の音声出力を停止させて、前記発信元および着信を受けるユーザの少なくとも一方に前記所定のメッセージを発話する。
また、上記の課題を解決するために、本発明の一態様に係る通信端末装置は、発信元についての情報を音声出力可能な発話部と、着信から所定期間が経過した後、前記発話部によって前記発信元についての情報が音声出力されていないことを検知したタイミングで、前記発信元および着信を受けるユーザの少なくとも一方に所定のメッセージを発話する自動応答出力部と、を備え、前記自動応答出力部は、（ｉ）ユーザが在宅中であることが設定されていると、前記着信から前記所定期間が経過した後、前記発話部によって前記発信元についての情報が音声出力されていないことを検知したタイミングで、前記発信元および着信を受けるユーザの少なくとも一方に前記所定のメッセージを発話し、（ｉｉ）ユーザが留守中であることが設定されていると、前記発話部によって前記発信元についての情報が音声出力されている途中であることを検知しても、前記着信から前記所定期間が経過したタイミングで、前記発信元および着信を受けるユーザの少なくとも一方に前記所定のメッセージを発話する。
【０００９】
また、上記の課題を解決するために、本発明の一態様に係る通信端末装置の制御方法は、発信元についての情報を音声出力可能な発話ステップと、着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、さらに、前記着信があると、前記発信元についての情報の音声出力とは異なる着信音を出力する鳴動ステップを含み、前記発話ステップにて前記発信元についての情報の音声出力が行われずに、前記鳴動ステップにて着信音のみが出力される場合、前記自動応答出力ステップでは、前記着信から前記所定期間が経過したタイミングで、前記発信元および着信を受けるユーザの少なくとも一方に前記所定のメッセージを発話し、前記鳴動ステップでは、前記着信音として、連続する一連の音である連続音の再生を継続するとともに、前記発話ステップで前記発信元についての情報の音声出力中は、前記連続音の音量をゼロまたは所定の値として、前記連続音を出力し、前記自動応答出力ステップでは、ＣＩ信号のオンオフの切り替え回数が前記着信から所定の回数に達したとき、前記着信から前記所定期間が経過したとして、前記発話ステップにて前記発信元についての情報が音声出力されていないことを検知したタイミングで、前記発信元および着信を受けるユーザの少なくとも一方に前記所定のメッセージを発話する。
また、上記の課題を解決するために、本発明の一態様に係る通信端末装置の制御方法は、発信元についての情報を音声出力可能な発話ステップと、着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、トールセーバ機能がオンに設定されている場合、前記自動応答出力ステップでは、呼び出し音の鳴動回数が、新規の留守番電話メッセージが録音されているか否かに対応付けられた値になると、前記発話ステップにて前記発信元についての情報が音声出力されている途中であることを検知しても、前記発信元についての情報の音声出力を停止させて、前記発信元および着信を受けるユーザの少なくとも一方に前記所定のメッセージを発話する。
また、上記の課題を解決するために、本発明の一態様に係る通信端末装置の制御方法は、発信元についての情報を音声出力可能な発話ステップと、着信から所定期間が経過した後、前記発話ステップにて前記発信元についての情報を音声出力していないことを検知したタイミングで、前記発信元および着信を受けるユーザの少なくとも一方に所定のメッセージを発話する自動応答出力ステップと、を含み、前記自動応答出力ステップでは、（ｉ）ユーザが在宅中であることが設定されていると、前記着信から前記所定期間が経過した後、前記発話ステップにて前記発信元についての情報が音声出力されていないことを検知したタイミングで、前記発信元および着信を受けるユーザの少なくとも一方に前記所定のメッセージを発話し、（ｉｉ）ユーザが留守中であることが設定されていると、前記発話ステップにて前記発信元についての情報が音声出力されている途中であることを検知しても、前記着信から前記所定期間が経過したタイミングで、前記発信元および着信を受けるユーザの少なくとも一方に前記所定のメッセージを発話する。
【発明の効果】
【００１０】
本発明の一態様によれば、着信から所定期間が経過した後、発信元についての情報の音声出力を中断せずに自動応答機能を実行することにより、ユーザ利便性を向上させることができるという効果を奏する。
【図面の簡単な説明】
【００１１】
【図１】本発明の実施形態１に係る電話機の要部構成の一例を示すブロック図である。
【図２】図１の電話機が自動応答発話を出力するタイミングを説明する図である。
【図３】図１の電話機が自動応答発話を出力するタイミングであって、図２に示すのとは別のタイミングを説明する図である。
【図４】図１の電話機について、トールセーバ設定がオンの場合に、自動応答発話を出力するタイミングを説明する図である。
【図５】図１の電話機が実行する処理の一例を示すフローチャートである。
【図６】図１の電話機について、トールセーバの設定有無と自動応答発話を出力するタイミングとの関係を示す図である。
【図７】ＴＴＳ機能を備えない従来の電話機について、ＣＡＲ信号を受信してから自動応答処理を実行する前までに実行する各処理のタイミングを説明する図である。
【図８】ＴＴＳ機能を備えない従来の電話機について、自動応答発話を出力するタイミングを説明する図である。
【図９】ＴＴＳ機能を備えない従来の電話機について、トールセーバ設定がオンの場合に自動応答発話を出力するタイミングを説明する図である。
【図１０】ＴＴＳ機能を備える従来の電話機について、発信元情報音声出力処理を実行するタイミングを説明する図である。
【図１１】ＴＴＳ機能を備える従来の電話機について、発信元情報音声出力処理が中断され、自動応答発話が出力されることを説明する図である。
【図１２】ＴＴＳ機能を備える従来の電話機について、トールセーバ設定がオンの場合に自動応答発話を出力するタイミングを説明する図である。
【発明を実施するための形態】
【００１２】
〔実施形態１〕
以下、本発明の実施の形態について、図１から図１２を用いて詳細に説明する。本発明の一態様に係る電話機１（通信端末装置）の理解を容易にするため、まず、従来の電話機の実行する処理（特に、処理のタイミング）について、図７から図１２を用いて説明していく。なお、図７から図９までは、「発信元についての情報を音声出力する機能」（例えば、ＴＴＳ（Text To Speech）機能）を備えない従来の電話機について説明する図であり、図１０から図１２までは、「発信元についての情報を音声出力する機能」を備える従来の電話機について説明する図である。また、図７がＣＡＲ信号を受信してから自動応答処理を実行する（開始する）前までに実行する各処理のタイミングを説明する図であるのに対して、図８から図１２は自動応答処理を実行するタイミング（自動応答発話を出力するタイミング）を説明する図である。ＴＴＳ機能について、詳細は後述する。
【００１３】
以下の説明においては、「発信元についての情報を音声出力する機能」がＴＴＳ機能である例を説明するが、「発信元についての情報を音声出力する機能」がＴＴＳ機能であることは必須ではない。
【００１４】
また、以下に説明する電話機は、電話機１を含めて、いずれも、以下の処理を実行するものとする。すなわち、電話機１を含むいずれの電話機も、先ず発信元についての情報（例えば、テキスト情報）を取得する処理を実行し、次に、着信側のユーザに着信があることを通知する着信通知処理を実行する。そして、着信から所定期間（例えば、ユーザの設定した期間）が経過すると、電話機１を含む、いずれの電話機も、発信元に対して留守番メッセージなどの所定のメッセージを発話する自動応答処理を実行する。ここで、電話機１を含む、いずれの電話機も、着信通知処理として、リンガー音または着信メロディ（連続する一連の音である連続音）である着信音を出力する。また、電話機１を含む、いずれの電話機も、ＴＴＳ機能が「オン」に設定されていると、着信通知処理として、発信元電話番号に対応する情報（発信元についての情報）を読み上げる発信元情報音声出力処理を実行してもよい。
【００１５】
（従来の電話機の実行する処理）
図７は、ＴＴＳ機能を備えない従来の電話機について、ＣＡＲ信号を受信してから自動応答処理を実行する前までに実行する各処理のタイミングを説明する図である。図中、「ＴＥＬ  ｌｉｎｅ  ｉｎｐｕｔ  −  ＴＥＬ  ｓｉｇｎａｌ」は、従来の電話機が電話網から取得する信号およびその取得タイミングを示している。「ＳＰＫ  ｏｕｔｐｕｔ  −  Ｄｅｆａｕｌｔ  ｒｉｎｇ  ｔｏｎｅ」は、着信音設定を「ＰｕＲｕｒｕｒｕ（プルルル）」（通常の着信音、Ｄｅｆａｕｌｔ  ｒｉｎｇ  ｔｏｎｅ）に設定した場合にスピーカー（ＳＰＫ）から出力（音声出力）されるリンガー音の出力（鳴動）のタイミングを示している。「ＳＰＫ  ｏｕｔｐｕｔ  −  Ｍｅｌｏｄｙ（ｒｉｎｇ  ｔｏｎｅ）」は、着信音設定を「メロディ」に設定した場合にスピーカー（ＳＰＫ）から出力（音声出力）される着信メロディ音の出力（鳴動）のタイミングを示している。「Ｒｉｎｇｂａｃｋ  ｔｏｎｅ  ｆｏｒ  ｆａｒ  ｅｎｄ」は、発信元（相手の電話）に聞こえる音（リングバックトーン）の出力（鳴動）のタイミングを示している。
【００１６】
なお、「ＴＥＬ  ｌｉｎｅ  ｉｎｐｕｔ  −  ＴＥＬ  ｓｉｇｎａｌ」、「ＳＰＫ  ｏｕｔｐｕｔ  −  Ｄｅｆａｕｌｔ  ｒｉｎｇ  ｔｏｎｅ」、「ＳＰＫ  ｏｕｔｐｕｔ  −  Ｍｅｌｏｄｙ（ｒｉｎｇ  ｔｏｎｅ）」、および「Ｒｉｎｇｂａｃｋ  ｔｏｎｅ  ｆｏｒ  ｆａｒ  ｅｎｄ」は、他の図面においても同様の内容を意味している。
【００１７】
図７の「ＴＥＬ  ｌｉｎｅ  ｉｎｐｕｔ  −  ＴＥＬ  ｓｉｇｎａｌ」に示されているように、着信に際して電話機は、電話網（公衆網）からＣＡＲ信号（情報受信端末起動信号、ＣＡＲ  ｓｉｇｎａｌ）、モデム信号（Ｍｏｄｅｍ  ｓｉｇｎａｌ）、およびＣＩ信号（呼出信号）を、この順に取得する。電話機は、ＣＡＲ信号およびモデム信号を受信し、発信元についての情報を取得する処理を実行する。また、電話機は、ＣＡＲ信号およびモデム信号を受信した後にＣＩ信号を受信し、着信があったことをユーザ（着信を受けるユーザ）に通知するための音声出力を実行する。
【００１８】
なお、記載の簡潔性を担保するため、図２〜図４、および図８〜図１２においては、「ＣＡＲ信号およびモデム信号を受信し、発信元についての情報を取得する処理」についての記載を省略している。ただし、記載を省略しているだけで、以下に説明する電話はいずれも、ＣＩ信号を受信する前に、「ＣＡＲ信号およびモデム信号を受信し、発信元についての情報を取得する処理」を実行している。すなわち、図２〜図４、および図８〜図１２においては、記載が省略されてはいるが、最初のＣＩ信号の受信の前に、「ＣＡＲ信号およびモデム信号を受信し、発信元についての情報を取得する処理」が実行されている。以下、「ＣＡＲ信号およびモデム信号を受信し、発信元についての情報を取得する処理」の詳細について説明していく。
【００１９】
（発信元についての情報取得）
ＣＡＲ信号とは、発信者電話番号通知サービスでモデム信号による発信元の電話番号の通知の前に送られてくる信号である。また、電話機はモデム信号を受信することによって、発信元を識別する情報（ＣＩＤ（Caller Identification code）情報）として発信元電話番号を取得する。電話機は、前記発信元電話番号と、発信元についての登録されている情報等（例えば、ユーザが登録しておいた電話帳情報などの発信元情報）とを用いて、今回の着信の発信元についての情報を取得することができる。
【００２０】
（着信の通知）
電話機は、ＣＡＲ信号およびモデム信号を受信した後、ＣＩ信号（Calling Indication, Ring Indication, RI）を受信して着信があったことをユーザに通知する。ＣＩ信号は、電話が掛かってきたことを示し、所定のサイクルで（例えば、１秒オンした後に２秒オフする周期で）オンとオフとを繰り返す。ＣＩ信号を受信すると、電話機は、着信があることをユーザに通知する着信通知処理を実行し、例えば、リンガー音、着信メロディ、ＴＴＳ機能を利用した発信元についての情報の読み上げ音声などを出力する。
【００２１】
図７の「ＳＰＫ  ｏｕｔｐｕｔ  −  Ｄｅｆａｕｌｔ  ｒｉｎｇ  ｔｏｎｅ」に示されているように、着信音設定が「プルルル」（通常の着信音）に設定されている場合、電話機は、着信音としてリンガー音を出力する。リンガー音は、ＣＩ信号のオンオフの周期と同期して鳴動と休止とを繰り返し、例えば、「１秒鳴動した後に２秒休止する」。「ＳＰＫ  ｏｕｔｐｕｔ  −  Ｍｅｌｏｄｙ（ｒｉｎｇ  ｔｏｎｅ）」に示されているように、着信音設定が「メロディ（着信メロディ）」に設定されている場合、電話機は、着信音としてメロディを出力する。メロディは、連続する一連の音である連続音であり、メロディの鳴動と休止とは、リンガー音とは異なり、ＣＩ信号のオンオフに同期しなくともよい。
【００２２】
（呼び出し中であることの通知）
図７の「Ｒｉｎｇｂａｃｋ  ｔｏｎｅ  ｆｏｒ  ｆａｒ  ｅｎｄ」に示されているように、発信元（電話をかけた側の電話）には、交換機によってリングバックトーン（呼び出し音）が出力される。
【００２３】
（ＣＡＲ信号を受信してから自動応答処理を実行する前までについての整理）
これまで図７を用いて説明してきたように、電話機は、ＣＡＲ信号を受信してから自動応答処理を実行する前までに、以下のような処理を実行する。すなわち、電話機は、ＣＡＲ信号を受信すると、発信元についての情報取得処理を実行する。その後、電話機は、ＣＩ信号を受信して、着信を受ける側のユーザに対して、着信があることを通知する処理（着信通知処理）を実行する。ＴＴＳ機能を備えない電話機は、着信通知処理として着信音を出力し、例えば、着信音（リンガー音）を出力し、または着信メロディを出力する。また、交換機は、リングバックトーン（呼び出し音）を出力して、発信元（電話をかけた側の電話）に対して、着信を受ける側のユーザを呼び出し中であることを通知する（呼出通知処理）。以上、図７を用いて、ＴＴＳ機能を備えない従来の電話機がＣＡＲ信号を受信してから自動応答処理を実行する前までに実行する処理について説明してきたので、次に、自動応答処理をどのようなタイミングで実行するかを、図８を参照しながら説明する。
【００２４】
（自動応答機能を有する従来の電話機の実行する処理）
図８は、ＴＴＳ機能を備えない従来の電話機について、自動応答発話を出力するタイミング（自動応答処理を実行するタイミング）を説明する図である。
【００２５】
（自動応答処理）
従来の電話機は、所定期間が着信から経過すると、自動応答処理を実行し（自動応答処理を開始し）、例えば、所定期間が着信から経過した後に発信元に対して所定のメッセージを発話する（自動応答発話を実行する）。
【００２６】
所定の応答は、例えば、「只今、留守にしております。・・・」といったものであってもよいし、「只今、お名前確認モードになっています。お名前をおしゃってください。・・・」といったものであってもよい。
【００２７】
すなわち、従来の電話機は、着信があると、例えば発信元に名乗らせるための音声を出力し、具体的には、発信元の氏名名称等を問う音声を発信元に対してオンフック状態のまま送信する。そして、発信元が自身の氏名名称等を名乗ると、従来の電話機は、その音声を着信側のユーザに音声出力することにより、着信側のユーザが受話器を上げて応答する前に（オンフック状態で）発信元の氏名名称等を確認することができる。
【００２８】
また、所定の応答は、着信を受けるユーザに対してスピーカから出力される、「この電話は迷惑電話の可能性があります。ご注意ください。」といった音声（応答）であってもよい。
【００２９】
所定の応答は、着信から所定期間が経過した後に、発信元および着信を受けるユーザに対して出力される所定の応答（例えば、「只今、留守にしております。・・・」または「只今、お名前確認モードになっています。お名前をおしゃってください。・・・」といった応答）であってもよいし、着信を受けるユーザに対してのみ出力される所定の応答（例えば、「この電話は迷惑電話の可能性があります。ご注意ください。」といった応答）であってもよい。
【００３０】
ここで、従来の電話機に実行させる自動応答処理について、ユーザは、「留守応答設定と在宅応答設定」のいずれかを選択することができる。また、ユーザが予め設定した電話帳に発信元電話番号が登録されている場合と登録されていない場合とで、自動応答発話の発話内容を変えてもよい。さらに、着信から自動応答処理が実行されるまでの期間について、ユーザは、「着信から着信音（リンガー音）の出力回数：２回、４回、６回、または８回」の中から１つを選択してもよいし、または、「トールセーバ」を選択してもよい。以下、詳細について説明していく。
【００３１】
（留守応答と在宅応答）
従来の電話機について自動応答処理を実行するよう設定する場合、ユーザは、例えば、ユーザが留守の時の自動応答処理（留守時自動応答処理）と、ユーザが在宅時の自動応答処理（在宅時自動応答処理）とを区別することができる。すなわち、従来の電話機について自動応答処理を実行するよう設定する場合、ユーザは、「留守時自動応答」設定または「在宅時自動応答」設定を選択することができる。
【００３２】
「在宅時自動応答」設定を選択した（つまり、「在宅時自動応答」を設定した）場合、従来の電話機は、例えば、ユーザが予め設定した電話帳に発信元電話番号が登録されていない時には、発信元に対して、発信者自身（発信元）についての情報（例えば、発信者の氏名名称）を名乗るよう求める自動応答発話を出力する。発信者の名乗った情報は電話機によって着信を受ける側のユーザに音声出力されるので、着信を受ける側のユーザは、発信元について確認してから、電話に出るか否かを決定することができる。すなわち、「在宅時自動応答」設定が選択されていると、電話機は、ユーザが受話器を上げて応答する前に（オンフック状態で）、発信元の名前を確認するため、発信元に名乗らせるための音声を出力する。そして、発信者の名乗った情報を音声出力することにより、電話機は、着信側のユーザが通話に応対する前に、発信元についての情報を着信側のユーザに認識させることができる。つまり、「在宅時自動応答」を設定することにより、ユーザは、在宅時であっても、ユーザが受話器を上げて応答する前に電話機に発信元に名乗らせるための音声を出力させ、発信元について確認してから、通話に応対することができる。
【００３３】
さらに、ユーザは、留守応答を設定した場合にも、在宅応答を設定した場合にも、着信から所定のメッセージを発話するまでの期間（着信から自動応答処理が実行されるまでの期間）を設定することができる。
【００３４】
（「２回、４回、６回、または８回」）
ユーザは、電話機に自動応答処理を実行する（つまり、期間が着信から経過した後に発信元に対して所定のメッセージを発話する）よう設定する場合、「着信から自動応答処理が実行されるまでの期間」を設定することができる。
【００３５】
着信から、発信元に対して所定のメッセージを発話する（自動応答処理を実行する）までの期間として、ユーザは、例えば、着信から着信音（リンガー音）の出力回数が「２回、４回、６回、または８回」になると、所定のメッセージを発話するように設定することができる。つまり、着信から自動応答発話が出力されるまでのリンガー音の出力回数について、ユーザは、「２回、４回、６回、または８回」の中から選択することができる。着信から自動応答発話が出力されるまでのリンガー音の出力回数を「２回、４回、６回、または８回」の中から選択することができるので、着信から自動応答処理を実行するまでの期間を、ユーザの好みに合わせて調整することができる。なお、以下では「着信から自動応答発話が出力されるまでの着信音（リンガー音）の出力回数」を、留守応答回数（自動応答回数）とも称する。
【００３６】
なお、詳細は図９を用いて後述するが、ユーザは、着信から自動応答処理を実行するまでの期間として、着信から自動応答発話が出力されるまでのリンガー音の出力回数を「２回、４回、６回、または８回」の中から選択する代わりに、「トールセーバ」を選択してもよい。すなわち、ユーザは、留守応答回数（自動応答回数）を設定する（留守応答回数（自動応答回数）を「２回、４回、６回、または８回」の中から選択する）代わりに、「トールセーバ」を選択してもよい。
【００３７】
図８の（Ａ）は、着信から自動応答処理を実行するまでの期間として「リンガー音の出力回数：２回」をユーザが選択している場合に、従来の電話機が自動応答発話を出力するタイミング（自動応答処理を実行するタイミング）を説明する図である。図８の（Ａ）にしめされているように、留守応答回数（自動応答回数）が２回に設定されている場合、２回のＣＩ信号オン区間を経て、ＴＴＳ機能を備えない従来の電話機は、自動応答処理を実行する（自動応答発話を出力する）。
【００３８】
図８の（Ａ）における「ＳＰＫ  ｏｕｔｐｕｔ  −  Ｄｅｆａｕｌｔ  ｒｉｎｇ  ｔｏｎｅ」に示すように、ＴＴＳ機能を備えない従来の電話機は、着信音設定が「通常の着信音」に設定されている場合、着信音としてリンガー音（「プルルル」）を出力する。ＴＴＳ機能を備えない従来の電話機は、「プルルル→休止→プルルル」と、リンガー音を２回出力した（２回鳴動した）後、図８の（Ａ）における「Ａｕｔｏ ａｎｓｗｅｒ（自動応答処理）」に示すように、自動応答処理を実行する（自動応答発話を出力する）。
【００３９】
また、「ＳＰＫ  ｏｕｔｐｕｔ  −  Ｍｅｌｏｄｙ（ｒｉｎｇ  ｔｏｎｅ）」に示すように、ＴＴＳ機能を備えない従来の電話機は、着信音設定が「メロディ」に設定されている場合、着信音としてメロディ（着信メロディ）を出力する。ＴＴＳ機能を備えない従来の電話機は、２回目のＣＩ信号がオフになった後、「メロディ」再生（着信メロディの出力）を停止して自動応答処理を実行する（自動応答発話を出力する）。
【００４０】
図８の（Ｂ）は、着信から自動応答処理を実行するまでの期間として「リンガー音の出力回数：４回」をユーザが選択している場合に、従来の電話機が自動応答発話を出力するタイミング（自動応答処理を実行するタイミング）を説明する図である。図８の（Ｂ）にしめされているように、留守応答回数（自動応答回数）が４回に設定されている場合、４回のＣＩ信号オン区間を経て、ＴＴＳ機能を備えない従来の電話機は、自動応答処理を実行する（自動応答発話を出力する）。
【００４１】
ＴＴＳ機能を備えない従来の電話機は、「プルルル→休止→プルルル→休止→プルルル→休止→プルルル」と、リンガー音を４回出力した（４回鳴動した）後、つまり、４回のＣＩ信号オン区間を経て、自動応答処理を実行する（自動応答発話を出力する）。前述の通り、リンガー音の「鳴動→休止→鳴動→・・・」の周期は、例えばＣＩ信号の「オン→オフ→オン→・・・」の周期に一致している。
【００４２】
ＴＴＳ機能を備えない従来の電話機は、リンガー音に代えてメロディを着信音として出力する場合、リンガー音を出力する場合と同様に４回のＣＩ信号オン区間を経て、つまり、４回目のＣＩ信号オフの後、「メロディ」再生を停止して自動応答処理を実行する（自動応答発話を出力する）。
【００４３】
（トールセーバ設定を有する従来の電話機の実行する処理）
図９は、ＴＴＳ機能を備えない従来の電話機について、トールセーバ設定がオンの場合に自動応答発話を出力するタイミングを説明する図である。トールセーバ設定がオンの場合、電話機は以下に説明するトールセーバ処理を実行する。
【００４４】
（「トールセーバ」）
図８に示した例では、ユーザは、着信から自動応答発話が出力されるまでのリンガー音の出力回数を「２回」または「４回」に設定していた。ユーザは、着信から自動応答処理を実行するまでの期間として、着信から自動応答発話が出力されるまでのリンガー音の出力回数を「２回、４回、６回、または８回」の中から選択する代わりに、「トールセーバ（Toll Saver）」を選択してもよく、つまり、トールセーバ設定を「オン」にしてもよい。トールセーバ設定を「オン」にしておくと、例えば、新規の留守番電話メッセージがある場合は２回で、新規の留守番電話メッセージがない場合は４回で、留守番電話などの自動応答処理を実行する。
【００４５】
図９の（Ａ）は、トールセーバ設定が「オン」であって（つまり、着信から自動応答処理を実行するまでの期間として「トールセーバ」が選択されていて）、新しい留守番電話メッセージがある場合に、従来の電話機が自動応答発話を出力するタイミングを説明する図である。新しい留守番電話メッセージがある場合、従来の電話機は、リングバックトーンが２回出力された後、留守応答を出力する（自動応答処理を実行する）。リングバックトーンが２回出力された後に自動応答処理が実行されたことにより、ユーザは新しい留守番電話メッセージがあると判断する。ユーザは、外出先の電話機のテンキーで所定のＤＴＭＦ（Dual Tone Multi Frequency）信号を家宅内の電話機に送信してリモート操作し、新しい留守番電話メッセージを再生させることができる。
【００４６】
図９の（Ｂ）は、トールセーバ設定が「オン」であって、新しい留守番電話メッセージが無い場合に、従来の電話機が自動応答発話を出力するタイミングを説明する図である。新しい留守番電話メッセージが無い場合、従来の電話機は、リングバックトーンが４回出力された後、留守応答を出力する（自動応答処理を実行する）。外出先から電話を掛けたユーザは、３回以上リングバックトーンが聞こえれば新しい留守番電話メッセージがないと判断する。
【００４７】
（ＴＴＳ機能を有する従来の電話機の実行する処理）
図１０は、ＴＴＳ機能を備える従来の電話機について、発信元情報音声出力処理を実行するタイミングを説明する図である。
【００４８】
（ＴＴＳ機能について）
ＴＴＳ（Text To Speech）機能とは、文章または単語等のテキスト（テキスト情報）を音声に変換して読み上げる機能である。ＴＴＳ機能を備える従来の電話機は、例えば、発信元電話番号を取得すると、当該発信元電話番号に対応する情報（例えば、発信元についてのテキスト情報）を読み上げる。なお、以下の説明において、ＴＴＳ機能を備える電話機が音声出力する発信元についての情報（例えば、発信元についてのテキスト情報）は「ＴＴＳ読上メッセージ」とも称し、また、「ＴＴＳ読上メッセージ」の音声出力は「発信元情報音声出力処理」とも称する。
【００４９】
ＴＴＳ機能を備える電話機が発信元電話番号の情報を取得することができた場合、ＴＴＳ読上メッセージは、発信元電話番号が電話帳に既に登録されているか否かに応じて、異なっていてもよい。
【００５０】
発信元電話番号が電話帳に既に登録されている場合、ＴＴＳ機能を備える電話機は、電話帳に登録済の発信元電話番号に対応する情報（例えば、発信者の氏名名称等の情報）を読み上げてもよい。例えば、ＴＴＳ機能を備える電話機は、「プルルル」、「ＸＸＸさんからです」、「プルルル」、「ＸＸＸさんからです」というように、リンガー音の鳴動と発信元情報音声出力処理とを交互に行なってもよい。
【００５１】
発信元電話番号が電話帳に登録されていない場合、ＴＴＳ機能を備える電話機は、発信元電話番号に対応する発信地域名、発信機器種別（例えば、携帯電話からの着信か、または固定電話からの着信か）を読み上げてもよい。例えば、ＴＴＳ機能を備える電話機は、発信地域名（例えば、「ＸＸＸ県からお電話です」）、および発信機器種別（例えば、「携帯電話からです」）の少なくとも１つに係る情報（例えば、テキスト情報）の読み上げを、リンガー音の鳴動と交互に行ってもよい。
【００５２】
発信元電話番号の情報を取得すると、ＴＴＳ機能を備える電話機は、例えば、発信元電話番号に対応する発信者の氏名名称、発信地域名、発信機器種別（携帯電話か固定電話か）といった「発信元についての情報」等を音声出力する（読み上げる）。ＴＴＳ機能を備える電話機が音声出力するＴＴＳ読上メッセージは、着信を受けたユーザを出力対象者とする発信元についての情報（例えば、テキスト情報）と捉えることができる。
【００５３】
着信を受けた側のユーザは、通話に応対する前に、発信元電話番号に対応する発信者の氏名名称、発信地域名、発信機器種別（例えば、携帯電話か固定電話か）などに係る情報を認識することができる。
【００５４】
図１０の（Ａ）は、ＴＴＳ機能を備える従来の電話機について、「ＴＴＳ読上メッセージ」が短い（例えば、ｎ番目のＣＩ信号がオフになってから、ｎ＋２番目のＣＩ信号がオンになるまでに、読み上げを完了することができる「ＴＴＳ読上メッセージ」）場合に、発信元情報音声出力処理を実行するタイミングを説明する図である。
【００５５】
図１０の（Ａ）に示すように、ＴＴＳ機能を備える従来の電話機は、「プルルル」、「ＸＸＸさんからです」、「プルルル」、「ＸＸＸさんからです」というように、リンガー音の鳴動と発信元情報音声出力処理とを交互に実行する。読み上げられる情報（発信元についての情報）が短い場合（１つ目のＣＩ信号オフから３つ目のＣＩ信号オンまでの区間で「ＸＸＸからです」の読み上げが完了する場合）、「プルルル」が１つスキップされる。すなわち、２つ目のＣＩ信号がオンである期間に対応して鳴動するはずであったリンガー音（「プルルル」）の鳴動がスキップされる。着信音がメロディのときも、着信音がリンガー音の場合と同じタイミングで、発信元情報音声出力処理が実行される。
【００５６】
図１０の（Ｂ）は、ＴＴＳ機能を備える従来の電話機について、「ＴＴＳ読上メッセージ」が長い（例えば、ｎ番目のＣＩ信号がオフになってから、ｎ＋２番目のＣＩ信号がオンになるまでに、読み上げを完了することができない「ＴＴＳ読上メッセージ」）場合に、発信元情報音声出力処理を実行するタイミングを説明する図である。
【００５７】
図１０の（Ｂ）に示すように、ＴＴＳ機能を備える従来の電話機は、「プルルル」、「ＸＸＸさんからです」、「プルルル」、「ＸＸＸさんからです」というように、リンガー音の鳴動と発信元情報音声出力処理とを交互に実行する。読み上げられる情報（発信元についての情報）が多い場合（発信元についてのテキスト情報が長い場合）、つまり、１つ目のＣＩ信号オフから３つ目のＣＩ信号オンまでの区間で「ＸＸＸからです」の読み上げが完了しない場合、「プルルル」が２つスキップされる。すなわち、２つ目のＣＩ信号がオンである期間および３つ目のＣＩ信号がオンである期間に対応して鳴動するはずであったリンガー音（「プルルル」）の鳴動がスキップされる。着信音がメロディのときも、着信音がリンガー音の場合と同じタイミングで、発信元情報音声出力処理が実行される。
【００５８】
（ＴＴＳ機能と自動応答機能との衝突）
図１１は、ＴＴＳ機能を備える従来の電話機について、発信元情報音声出力処理が中断され、自動応答発話が出力されることを説明する図である。「留守応答回数（自動応答回数）：２回」が設定されている場合、従来の電話機は、着信からのＣＩ信号の受信回数が２回になった（２回目のＣＩ信号がオフになった）後に自動応答発話を出力する。ここで、ＴＴＳ機能を備える電話機は、着信があると、例えば、「プルルル」、「ＸＸＸさんからです」、「プルルル」、「ＸＸＸさんからです」というように、リンガー音の鳴動と発信元情報音声出力処理とを交互に行なう。
【００５９】
ＴＴＳ機能を備える従来の電話機は、ユーザによって予め設定された留守応答回数（自動応答回数）に従って、ＣＩ信号の受信回数で自動応答処理への切り替えを制御している。したがって、図１１の（Ｂ）に示すように、ＴＴＳ機能を備える従来の電話機は、発信元情報音声出力処理を実行している途中にＣＩ信号の受信回数が設定された留守応答回数（自動応答回数）に達すると、発信元情報音声出力処理を中断し、自動応答発話を出力する。以下に詳細を説明していく。
【００６０】
図１１の（Ａ）は、ＴＴＳ機能を備える従来の電話機について、発信元情報音声出力処理を実行するタイミングを示す図である。また、図１１の（Ｂ）は、図１１の（Ａ）で示した電話機について、「留守応答回数（自動応答回数）：２回」を設定した場合に、発信元情報音声出力処理および自動応答処理を実行するタイミングを示す図である。
【００６１】
図１１の（Ｂ）に示すように、「留守応答回数（自動応答回数）：２回」が設定されると、ＴＴＳ機能を備える従来の電話機は、２回目のＣＩ信号がオフになったタイミング（またはオフになってから一定時間経過後）で自動応答処理を実行する。ＴＴＳ機能を備える従来の電話機は、発信元情報音声出力処理の実行途中であっても（つまり、「ＸＸＸＸＸＸＸＸからです」とのテキスト情報の読み上げが完了していなくても）、２回目のＣＩ信号がオフになってから一定時間経過後に自動応答処理を実行する。したがって、ＴＴＳ機能を備える従来の電話機について留守応答回数（自動応答回数）を設定した場合、音声出力されない（読み上げられない）テキスト情報（発信元についての情報）が残ることがあり、ユーザは、発信元についての情報を最後まで確認することができない可能性があった。
【００６２】
ＴＴＳ機能を備える従来の電話機は、留守応答回数（自動応答回数）設定に従って、ＣＩ信号の受信回数で自動応答処理への切り替えを制御している。したがって、ＴＴＳ機能を備える従来の電話機は、ＣＩ信号の受信回数が設定された留守応答回数（自動応答回数）（図１１の（Ｂ）に示す例では「２回」）に達すると、実行中の発信元情報音声出力処理を中断して（停止して）、自動応答処理を実行する（自動応答処理を開始する）ことがあった。その場合、ユーザは、ＴＴＳ読上メッセージ（発信元についての情報）の一部を聞き取ることができず、つまり、発信元についての情報を最後まで確認することができない。
【００６３】
（トールセーバ設定がオンの場合の、自動応答発話の出力タイミング）
図１２は、ＴＴＳ機能を備える従来の電話機について、トールセーバ設定がオンの場合に自動応答発話を出力するタイミングを説明する図である。
【００６４】
トールセーバが「オン」に設定されている場合、電話機は、ユーザに「新しい留守番電話メッセージが録音されているか否か」を通知する必要がある。そのため、トールセーバが「オン」に設定されている場合、電話機は、「新しい留守番電話メッセージが録音されているか否か」に応じて、着信から所定のリングバックトーン回数で自動応答処理を実行する。
【００６５】
すなわち、トールセーバが「オン」に設定されている電話機は、発信元情報音声出力処理の実行途中であっても、着信から所定のリングバックトーン回数で自動応答処理に切り替える必要がある。具体的には、トールセーバが「オン」に設定されている電話機は、新しい留守番電話メッセージがある場合、発信元情報音声出力処理を実行しているか否かに関わらず、「録音データ有り」時の所定のリングバックトーン回数（例えば、２回）で自動応答処理を実行する（開始する）。また、トールセーバが「オン」に設定されている電話機は、新しい留守番電話メッセージが無い場合、発信元情報音声出力処理を実行しているか否かに関わらず、「録音データ無し」時の所定のリングバックトーン回数（例えば、４回）で自動応答処理を実行する（開始する）。
【００６６】
図１２の（Ａ）は、トールセーバ設定が「オン」であって（つまり、着信から自動応答処理を実行するまでの期間として「トールセーバ」が選択されていて）、新しい留守番電話メッセージがある場合に自動応答発話が出力されるタイミングを説明する図である。
【００６７】
トールセーバ設定が「オン」で、かつ、新しい留守番電話メッセージがある場合、発信元情報音声出力処理の実行途中であっても、ＣＩ信号の受信回数（リングバックトーンの鳴動回数）が、「録音データ有り」時の所定のリングバックトーン回数（例えば、図１２の（Ａ）に示す例では２回）になると、自動応答処理に切り替える（自動応答発話を出力する）。
【００６８】
図１２の（Ｂ）は、トールセーバ設定が「オン」であって（つまり、着信から自動応答処理を実行するまでの期間として「トールセーバ」が選択されていて）、新しい留守番電話メッセージがない場合に自動応答発話が出力されるタイミングを説明する図である。
【００６９】
トールセーバ設定が「オン」で、かつ、新しい留守番電話メッセージが無い場合、発信元情報音声出力処理の実行途中であっても、ＣＩ信号の受信回数（リングバックトーンの鳴動回数）が、「録音データ無し」時の所定のリングバックトーン回数（例えば、図１２の（Ｂ）に示す例では４回）になると、自動応答処理に切り替える（自動応答発話を出力する）。
【００７０】
（ＴＴＳ機能を備える従来の電話の問題点）
従来の電話機は、留守応答回数（自動応答回数）設定に従って、ＣＩ信号の受信回数で自動応答処理への切り替えを制御している。そのため、従来の電話機は、トールセーバが「オン」に設定されているか否かに関わらず、発信元情報音声出力処理の実行途中（「ＸＸＸＸＸＸＸＸからです」の読み上げ途中）に自動応答処理に切り替わってしまうことがあった。つまり、従来の電話機は、テキスト情報を読み上げている途中に（発信元についての情報を音声出力している途中に）、ＣＩ信号の受信回数が留守応答回数（自動応答回数）に達すると、読み上げを中断して（停止して）、自動応答処理を実行する（開始する）。そのため、ユーザは、ＴＴＳ読上メッセージ（発信元についての情報）を最後まで確認することができないことがあった。
【００７１】
（電話機１の概要）
以上に説明したような従来の電話機に対して、電話機１は、テキスト情報を読み上げている途中に（発信元についての情報を音声出力している途中に）ＣＩ信号の受信回数が留守応答回数（自動応答回数）に達した場合であっても、読み上げを完了してから（発信元についての情報を音声出力し終わってから）、自動応答処理を実行する（開始する）。
【００７２】
以下、電話機１について、図１から図６を用いて詳細に説明していくが、電話機１について、最初に概要を説明しておけば、以下の通りである。すなわち、電話機１は、ユーザが設定した留守応答回数（自動応答回数）に矛盾しないタイミングで、かつ、テキスト情報（例えば、発信元についての、着信を受けたユーザを出力対象者とするような情報）を全て読み上げてから、自動応答処理を実行する。
【００７３】
したがって、電話機１は、ユーザ利便性が高く、ユーザの使い勝手の良い着信通知処理および自動応答処理を実行することができる。
【００７４】
電話機１は、自動応答処理を実行するよう設定されているときの着信時に、リンガー音またはメロディ（着信メロディ）を鳴動させると共に、発信元の氏名名称等（発信者情報）も音声出力し、つまり、発信元についての情報（例えば、テキスト情報）を読み上げる。そして、電話機１は、発信元についての情報を最後まで読み上げ終った（発信元情報音声出力処理を完了した）あとに、自動応答発話を出力する。したがって、電話機１によって、着信を受ける側のユーザは、発信が誰からのものであったなどの発信元についての情報を確実に聞くことができる。電話機１は、読み上げるテキスト情報の長さ（つまり、発信元についての情報を最後まで音声出力するのに要する時間）に関わらず、発信元についての情報を最後まで読み上げ終った（発信元情報音声出力処理を完了した）あとに、自動応答発話を出力する。
【００７５】
電話機１は、自動応答発話を出力するタイミングを、発信元についての情報を最後まで読み上げ終った後にすることによって、自動応答発話を出力する前に、発信元についての情報を確実に音声出力することができる。したがって、ユーザは、発信元についての情報を全て確認できる。
【００７６】
具体的には、電話機１（通信端末装置）は、発信元についての情報（例えば、テキスト情報）を音声出力可能な発話部１３と、着信から所定期間（例えば、ユーザの設定した期間）が経過した後、発話部１３によって前記発信元についての情報が音声出力されていないことを検知したタイミングで、着信状態を終了または中断して前記発信元および着信を受けるユーザの少なくとも一方に所定のメッセージを発話する自動応答出力部１４と、を備えている。
【００７７】
前記の構成によれば、自動応答出力部１４は、前記着信から前記所定期間が経過した後、発話部１３によって前記発信元についての情報が音声出力されていないことを検知したタイミングで、着信状態を終了または中断して前記発信元および着信を受けるユーザの少なくとも一方に所定のメッセージを発話する。つまり、前記自動応答出力部は、例えば、前記発信元についての情報が音声出力されている途中に、前記発信元についての情報の音声出力を中断して（途中で停止して）前記所定のメッセージを発話することがない。
【００７８】
したがって、電話機１は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【００７９】
なお、自動応答出力部１４が発話する所定の応答は、例えば、発信元に対する、「只今、留守にしております。・・・」といったものであってもよいし、「只今、お名前確認モードになっています。お名前をおしゃってください。・・・」といったものであってもよく、これらの所定の応答は、着信を受けるユーザに対しても聞こえるように出力される。
【００８０】
また、自動応答出力部１４が発話する所定の応答は、例えば、着信を受けるユーザに対して（スピーカなどから）出力される、「この電話は迷惑電話の可能性があります。ご注意ください。」といった音声（応答）であってもよい。
【００８１】
自動応答出力部１４が発話する所定の応答は、着信から所定期間が経過した後に、発信元および着信を受けるユーザに対して出力される所定の応答（例えば、「只今、留守にしております。・・・」または「只今、お名前確認モードになっています。お名前をおしゃってください。・・・」といった応答）であってもよいし、着信を受けるユーザに対してのみ出力される所定の応答（例えば、「この電話は迷惑電話の可能性があります。ご注意ください。」といった応答）であってもよい。
【００８２】
なお、「この電話は迷惑電話の可能性があります。ご注意ください。」といった発話は、発話部１３が音声出力してもよい。すなわち、自動応答出力部１４は、発話部１３によって前記発信元についての情報が音声出力されていないことを検知したタイミングで、前記発信元および着信を受けるユーザの少なくとも一方に所定のメッセージを発話すればよく、自動応答出力部１４が発話する所定のメッセージの内容は特に限定されない。同様に、発話部によって音声出力される情報についても、発信元についての情報であれば、その内容は特に限定されない。自動応答出力部１４が発話する所定のメッセージと、発話部１３によって音声出力される情報とは、同じであってもよいし、異なっていてもよい。
【００８３】
発話部１３が音声出力することのできる前記発信元についての情報は、前記発信元についてのテキスト情報である。
【００８４】
前記の構成によれば、発話部１３は、前記発信元についてのテキスト情報を音声出力することができる。
【００８５】
したがって、電話機１は、前記発信元についてのテキスト情報を音声出力することができるという効果を奏する。
【００８６】
次に、図１を参照して、本実施形態に係る電話機１の要部構成について説明する。
【００８７】
（電話機１の要部構成）
図１は、本発明の実施形態１に係る電話機の要部構成の一例を示すブロック図である。電話機１は、電話網２（公衆網）からの着信を検知すると、報知動作、留守番電話動作などの呼出動作を行うものである。図１に示すように、電話機１は、制御部１０、記憶部２０、および出力部３０を備えている。なお、記載の簡潔性を担保するため、本実施の形態に直接関係のない構成（電話回線を利用して通話を実現する部分など。例えば、ディスプレイ、マイクなど）は、説明およびブロック図から省略している。ただし、実施の実情に則して、電話機１は、当該省略された構成を備えてもよい。電話機１は、通話機能を備えていればよく、ファクシミリ機能等、他の機能をさらに備えていてもよい。
【００８８】
出力部３０は、いわゆるスピーカであり、制御部１０から受信する制御指示に従って電話機１の外部に各種の情報を音声出力するものである。
【００８９】
制御部１０は電話機１の機能を統括して制御するものである。図示の制御部１０には、機能ブロックとして、信号取得部１１、鳴動部１２、発話部１３、自動応答出力部１４、応答条件判定部１５、トールセーバ設定部１６、およびモード設定部１７が含まれている。モード設定部１７は、留守番設定部１７１および在宅設定部１７２を含んでいる。
【００９０】
上述した制御部１０の各機能ブロックは、例えば、ＣＰＵ（central processing unit）などが、ＲＯＭ（read only memory）、ＮＶＲＡＭ（non-Volatile random access memory）等で実現された記憶装置（記憶部２０）に記憶されているプログラムを不図示のＲＡＭ（random access memory）等に読み出して実行することで実現できる。以下、制御部１０中の各機能ブロックについて説明する。
【００９１】
（各機能ブロックの概要）
信号取得部１１は、電話網２からＣＡＲ信号、モデム信号、ＣＩ信号などを取得（受信）し、ＣＩ信号を受信したことを鳴動部１２に通知する。信号取得部１１は、また、着信からのＣＩ信号の受信回数（ＣＩ信号のオンオフの切り替え回数）を応答条件判定部１５に通知する。
【００９２】
鳴動部１２は、着信があると、発話部１３による発信元についての情報の音声出力（読み上げ）とは異なる着信音を出力する。すなわち、鳴動部１２は、信号取得部１１からの通知に基づいて、リンガー音またはメロディ（着信メロディ）を着信音として出力する。鳴動部１２は、着信音として「リンガー音」が設定されていると、ＣＩ信号のオンオフに同期して鳴動・休止する音声（ベル音）であるリンガー音を出力する。鳴動部１２は、着信音として「メロディ（着信メロディ）」が設定されていると、ＣＩ信号のオンになったタイミングで鳴動を開始するメロディを出力する。鳴動部１２は、また、着信音としてリンガー音を出力する場合、応答条件判定部１５に、着信からのリンガー音の鳴動回数を通知する。
【００９３】
発話部１３は、発信元情報音声出力処理を実行し、つまり、発話設定情報２１および発信元情報２２を参照して、ＣＡＲ信号およびモデム信号を受信して取得した発信元電話番号に対応する情報（例えば、発信元についてのテキスト情報）を読み上げて音声として出力する。発話部１３は、発信元についての情報を音声出力して、着信を受けたユーザに発信元についての情報を通知する。発話部１３は、発信元電話番号が発信元情報２２に既に登録されている場合、登録済の発信元電話番号に対応する情報（例えば、「ＸＸＸさんからです」といった発信者の氏名名称等の情報）を読み上げる。発話部１３は、登録済の発信元電話番号に対応するグループの名称（例えば、会社名およびサークル名などの情報）を読み上げてもよい。すなわち、登録済の発信元電話番号に対応させて、例えば、「氏名名称：ＸＸＸさん」といった情報に代えて、または、「氏名名称：ＸＸＸさん」といった情報に加えて、「所属グループ名：株式会社ＹＹＹ」といった情報が登録されている場合、発話部１３は、登録済の発信元電話番号に対応する所属グループ名（例えば、「株式会社ＹＹＹ」）を読み上げてもよい。発話部１３は、発信元電話番号が発信元情報２２に登録されていない場合、発信元電話番号に対応する発信地域名（例えば、「ＸＸＸ県からお電話です」）、発信機器種別（例えば、「携帯電話からです」といった、携帯電話からの着信か、または固定電話からの着信かを示す情報）を読み上げる。
【００９４】
発話部１３は、また、発信元情報音声出力処理を開始すると、発信元情報音声出力処理を開始したことを応答条件判定部１５に通知し、発信元情報音声出力処理を完了すると、発信元情報音声出力処理を完了したことを応答条件判定部１５に通知する。
【００９５】
自動応答出力部１４は、応答条件判定部１５から指示されたタイミングで、自動応答出力内容情報２４を参照して取得した自動応答発話（音声データ）を出力し、つまり、着信状態を終了または中断して前記発信元および着信を受けるユーザの少なくとも一方に所定のメッセージを発話する。自動応答出力部１４が発話する所定の応答は、例えば、「只今、留守にしております。・・・」、「只今、お名前確認モードになっています。お名前をおしゃってください。・・・」といった、（着信を受けるユーザにも聞こえる）発信元に対する応答である。また、自動応答出力部１４が発話する所定の応答は、例えば、着信を受けるユーザに対して（スピーカなどから）出力される、「この電話は迷惑電話の可能性があります。ご注意ください。」といった音声（応答）であってもよい。
【００９６】
なお、発話部１３によって音声出力される発信元についての情報は、専ら、着信を受けるユーザを出力対象とする情報である。これに対し、自動応答出力部１４が発話する所定の応答は、発信元（および着信を受けるユーザ）を出力対象として、「発信元に対して所定の動作を求める（例えば、発信元に名乗らせ、メッセージを発話させる）」ものであってもよいし、着信を受けるユーザを出力対象として、着信への応答に際して注意を喚起する（例えば、「迷惑電話」など、着信の内容をユーザに通知する）ものであってもよい。
【００９７】
ただし、「この電話は迷惑電話の可能性があります。ご注意ください。」といった、着信を受けるユーザを出力対象とする、着信への応答に際して注意を喚起するメッセージは、発話部１３が出力してもよい。発話部１３は、発信元についての情報を音声出力し、例えば、発話部１３が発信元についての情報を音声出力している間は、自動応答出力部１４は、発信元および着信を受けるユーザの少なくとも一方を出力対象とする、上記所定のメッセージを発話しない。自動応答出力部１４が発話する所定のメッセージの内容は特に限定されない。同様に、発話部によって音声出力される情報についても、発信元についての情報であれば、その内容は特に限定されない。自動応答出力部１４が発話する所定のメッセージと、発話部１３によって音声出力される情報とは、同じであってもよいし、異なっていてもよい。
【００９８】
応答条件判定部１５は、自動応答出力部１４に自動応答発話を出力するタイミングを指示する。具体的には、応答条件判定部１５は、応答条件情報２５を参照して、留守応答回数（自動応答回数）が何回に設定されているかを確認する。応答条件判定部１５は、鳴動部１２から、着信音として出力されているのがリンガー音であるのか、または連続する一連の音であるメロディ（連続音）であるのかについての情報を取得する。応答条件判定部１５は、信号取得部１１から、着信からのＣＩ信号の受信回数（ＣＩ信号のオンオフの切り替え回数）を取得する。応答条件判定部１５は、鳴動部１２から、着信からのリンガー音の鳴動回数（出力回数）を取得する。応答条件判定部１５は、トールセーバ設定部１６から、トールセーバが「オン」または「オフ」に設定されているとの情報を取得する。応答条件判定部１５は、モード設定部１７から、ユーザが在宅中であることが設定されている（「在宅時自動応答」が設定されている）か、または、ユーザが留守中であることが設定されている（「留守時自動応答」が設定されている）かについての情報を取得する。
【００９９】
さらに、応答条件判定部１５は、発話部１３から、発信元情報音声出力処理が開始されたとの情報、および発信元情報音声出力処理が完了したとの情報を、つまり、発信元情報音声出力処理が実行中であるのか完了したのか（実行中ではないのか）についての情報を、取得する。
【０１００】
そして、応答条件判定部１５は、応答条件情報２５を参照して、トールセーバ機能の「オンまたはオフ」、ユーザが在宅中であるか留守中であるか、着信音がリンガー音かメロディか、留守応答回数（自動応答回数）が何回か、着信からのＣＩ信号の受信回数、着信からのリンガー音の鳴動回数、および、発信元情報音声出力処理が実行中であるのか完了したのか（実行中ではないのか）についての情報に基づいて、自動応答出力部１４に自動応答発話を出力するタイミングを決定する。
【０１０１】
トールセーバ設定部１６は、トールセーバを「オン」または「オフ」にするユーザ設定（ユーザ操作）を受け付け、トールセーバが「オン」または「オフ」に設定されているとの情報を、応答条件判定部１５に通知する。
【０１０２】
モード設定部１７は、留守番設定部１７１および在宅設定部１７２を含み、電話機１が自動応答処理を実行するよう設定されているか否かを応答条件判定部１５に通知する。また、モード設定部１７は、ユーザが在宅中に自動応答処理を実行するよう設定されているか、または、ユーザが留守中に自動応答処理を実行するよう設定されているかを、応答条件判定部１５に通知する。留守番設定部１７１は、ユーザが留守中に自動応答処理を実行するよう設定するユーザ操作（「留守時自動応答」を設定するユーザ操作）を受け付ける。在宅設定部１７２は、ユーザが在宅中に自動応答処理を実行するよう設定するユーザ操作（「在宅時自動応答」を設定するユーザ操作）を受け付ける。
【０１０３】
記憶部２０は、電話機１が使用する各種データを格納する記憶装置である。なお、記憶部２０は、電話機１の制御部１０が実行する（１）制御プログラム、（２）ＯＳプログラム、（３）制御部１０が、電話機１が有する各種機能を実行するためのアプリケーションプログラム、および、（４）該アプリケーションプログラムを実行するときに読み出す各種データを非一時的に記憶してもよい。上記の（１）〜（４）のデータは、例えば、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）等の不揮発性記憶装置に記憶される。
【０１０４】
電話機１は、図示しない一時記憶部を備えていてもよい。一時記憶部は、電話機１が実行する各種処理の過程で、演算に使用するデータおよび演算結果等を一時的に記憶するいわゆるワーキングメモリであり、ＲＡＭ（Random Access Memory）などの揮発性記憶装置で構成される。
【０１０５】
どのデータをどの記憶装置に記憶するのかについては、電話機１の使用目的、利便性、コスト、または、物理的な制約などから適宜決定される。
【０１０６】
記憶部２０はさらに、発話設定情報２１、発信元情報２２、発話内容情報２３、自動応答出力内容情報２４、および応答条件情報２５を格納している。
【０１０７】
発話設定情報２１は、ＴＴＳ機能が「オン」に設定されているか否かの情報である。発信元情報２２は、電話番号と対応付けて、発信元の氏名名称等の情報を格納したものである。発話内容情報２３は、ＴＴＳ機能が「オン」に設定されている場合に、発話部１３が読み上げるテキスト情報を定義した情報である。発話内容情報２３は、発信元電話番号が電話帳に既に登録されている場合、当該発信元電話番号に対応する情報（例えば、発信者の氏名名称等の発信元についての情報。具体的には、「ＸＸＸさん」）であってもよい。発話内容情報２３は、発信元電話番号が電話帳に登録されていない場合、当該発信元電話番号に対応する発信地域名（例えば、「ＸＸＸ県」）、発信機器種別（例えば、携帯電話からの着信か、または固定電話からの着信かについての情報。具体的には「携帯電話」）であってもよい。
【０１０８】
自動応答出力内容情報２４は、自動応答発話として音声出力される、「只今、留守にしております・・・」、「只今、お名前確認モードになっています。お名前をおしゃってください。・・・」といった音声データである。
【０１０９】
応答条件情報２５は、自動応答出力部１４が自動応答発話を出力するタイミングを定義する情報であり、ユーザの設定した「着信から自動応答発話を出力するまでの期間（例えば、ユーザの設定した留守応答回数（自動応答回数））」についての情報を含んでいる。
【０１１０】
応答条件情報２５は、例えば、トールセーバ機能が「オフ」に設定され、ユーザが「在宅中」であることが設定されている場合、ＣＩ信号のオンオフの切り替え回数（ＣＩ信号のオンオフの切り替え回数）またはリンガー音の出力回数（鳴動回数）が着信から留守応答回数（自動応答回数）に達した後、「発信元情報音声出力処理が完了したタイミング」で、自動応答発話を出力することを定義している。
【０１１１】
応答条件情報２５は、また、例えば、着信音がリンガー音である場合、リンガー音の鳴動回数（出力回数）が着信から留守応答回数（自動応答回数）に達すると、ユーザの設定した「着信から自動応答発話を出力するまでの期間」が経過したと定義している。
【０１１２】
応答条件情報２５は、さらに、例えば、着信音がメロディである場合、ＣＩ信号の受信回数（ＣＩ信号のオンオフの切り替え回数）が着信から留守応答回数（自動応答回数）に達すると、ユーザの設定した「着信から自動応答発話を出力するまでの期間」が経過したと定義している。
【０１１３】
（電話機１が自動応答発話を出力するタイミング：トールセーバ「オフ」設定時）
図２は、電話機１が自動応答発話を出力するタイミングを説明する図である。より正確には、図２は、トールセーバ設定が「オフ」であって、「留守応答回数（自動応答回数）：２回」に設定されている場合に、電話機１が自動応答発話を出力するタイミングを説明する図である。
【０１１４】
図２に示すように、電話機１は、「ＸＸＸＸＸＸＸＸからです」との発信元についての情報を読み上げる「発信元情報音声出力処理」を実行している途中では、自動応答処理に切り替えない。ここで、読み上げるテキスト情報の文字数が多いときは、着信から「発信元情報音声出力処理」を完了するまでに受信するＣＩ信号の数が増え、つまり、着信から受信したＣＩ信号の受信回数は留守応答回数（自動応答回数）を超えることがある。しかしながら、電話機１は、発信元情報音声出力処理の実行中にはリンガー音（「プルルル」）を出力しないので、リンガー音の鳴動回数が留守応答回数（自動応答回数）を超えることはなく、留守応答回数（自動応答回数）との間で矛盾が発生することはない。
【０１１５】
電話機１は、着信から受信したＣＩ信号の受信回数が留守応答回数（自動応答回数）に達した後であって、発信元情報音声出力処理を完了した（発信元についての情報を全て音声出力し終わった）後に、「只今、留守にしております・・・」または「只今、お名前確認モードになっています。お名前をおしゃってください。・・・」といった自動応答発話を音声出力する。
【０１１６】
なお、図２において、発話部１３が発信元情報音声出力処理を実行している間、鳴動部１２は、メロディ（着信メロディ）の音量をゼロにしている。しかしながら、鳴動部１２は、発話部１３が発信元情報音声出力処理を実行している間、発話部１３により読み上げられているテキスト情報の聞き取りが邪魔にならない程度の音量で（所定の音量で）、メロディを出力してもよい。図３および図４においても同様である。
【０１１７】
（「着信音：リンガー音」の場合に電話機１が自動応答発話を出力するタイミング）
図３は、電話機１が自動応答発話を出力するタイミングであって、図２に示すのとは別のタイミングを説明する図である。図３に示す例では、電話機１は、着信から受信したＣＩ信号の受信回数（ＣＩ信号のオンオフの切り替え回数）ではなく、着信からリンガー音（「プルルル」）の鳴動回数が留守応答回数（自動応答回数）に達した後に、自動応答発話を音声出力する。
【０１１８】
図３に示す例で電話機１は、「留守応答回数（自動応答回数）：２回」が設定されている場合、ＣＩ信号の受信回数（ＣＩ信号のオンオフの切り替え回数）が着信から２回に達した後ではなく、リンガー音の出力回数（鳴動回数）が着信から２回に達した後、「発話部１３によって発信元についての情報が音声出力されていない」ことを検知したタイミングで、自動応答発話を出力している。
【０１１９】
リンガー音の出力回数（鳴動回数）が着信から２回に達した時には、ＣＩ信号の受信回数は既に３回に達し、ＣＩ信号の受信回数は留守応答回数（自動応答回数）を超えている。しかし、２回目に受信したＣＩ信号に対応するリンガー音は出力されていないため、自動応答発話を出力するまでに鳴動させたリンガー音の鳴動回数が留守応答回数（自動応答回数）を超えることはない。したがって、着信から自動応答処理が実行される（開始される）までに鳴動するリンガー音の鳴動回数と留守応答回数（自動応答回数）との間で齟齬が発生することはない。
【０１２０】
すなわち、電話機１の鳴動部１２は、前記着信音として、ＣＩ信号のオンオフの周期と同期して鳴動と休止とを繰り返すリンガー音を出力し、自動応答出力部１４は、鳴動部１２による前記リンガー音の出力回数（鳴動回数）が前記着信から所定の回数（例えば、留守応答回数（自動応答回数））に達したとき、前記着信から前記所定期間が経過したとして、発話部１３によって前記発信元についての情報が音声出力されていないことを検知したタイミングで、着信状態を終了または中断して前記発信元および着信を受けるユーザの少なくとも一方に前記所定のメッセージを発話する。
【０１２１】
前記の構成によれば、自動応答出力部１４は、前記リンガー音の出力回数が前記着信から所定の回数に達した後、発話部１３によって前記発信元についての情報が音声出力されていないことを検知したタイミングで、着信状態を終了または中断して前記発信元および着信を受けるユーザの少なくとも一方に前記所定のメッセージを発話する。
【０１２２】
ここで、従来の電話機は、前記ＣＩ信号のオンオフの切り替え回数が前記着信から所定の回数に達したタイミングで、つまり、前記ＣＩ信号のオンになった回数（前記ＣＩ信号の受信回数）が前記着信から所定の回数に達したタイミングで、留守番電話機能などの自動応答機能を実行していた。そのため、従来の電話機は、前記発信元についての情報の音声出力の途中で前記ＣＩ信号がオンになると、前記音声出力を中断して、つまり、途中で停止して、留守番メッセージなどの所定の応答を発話していた。
【０１２３】
これに対し、自動応答出力部１４は、前記ＣＩ信号のオンオフの切り替え回数（前記ＣＩ信号の受信回数）が前記着信から所定の回数に達した後ではなく、前記リンガー音の出力回数（鳴動回数）が前記着信から所定の回数に達した後に、着信状態を終了または中断して前記発信元および着信を受けるユーザの少なくとも一方に前記所定のメッセージを発話する。つまり、自動応答出力部１４は、前記発信元についての情報の音声出力の途中で前記ＣＩ信号がオンになった（前記着信からの前記ＣＩ信号の受信回数が所定の回数に達した）としても前記音声出力を中断せず、前記発信元についての情報の音声出力が完了してから前記所定のメッセージを発話する。
【０１２４】
したがって、電話機１は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１２５】
（「着信音：メロディ」の場合に電話機１が自動応答発話を出力するタイミング）
ここで、「着信音」として、リンガー音ではなく「メロディ（着信メロディ）」が設定されている時は、図３に示すように、電話機１は、ＣＩ信号の受信回数（ＣＩ信号のオンオフの切り替え回数）に従って自動応答処理に切り替えてもよい。
【０１２６】
すなわち、電話機１の鳴動部１２は、前記着信音として、連続する一連の音である連続音（メロディ）の再生を継続するとともに、発話部１３による前記発信元についての情報の音声出力中は、前記連続音の音量をゼロまたは所定の値として、前記連続音を出力し、自動応答出力部１４は、ＣＩ信号のオンオフの切り替え回数が前記着信から所定の回数に達したとき、前記着信から前記所定期間が経過したとして、発話部１３によって前記発信元についての情報が音声出力されていないことを検知したタイミングで、着信状態を終了または中断して前記発信元および着信を受けるユーザの少なくとも一方に前記所定のメッセージを発話する。
【０１２７】
前記の構成によれば、前記着信音として前記連続音（例えば、着信メロディ）が出力されている場合、自動応答出力部１４は、前記ＣＩ信号のオンオフの切り替え回数が前記着信から所定の回数に達した後、前記発信元についての情報が音声出力されていないことを検知したタイミングで、着信状態を終了または中断して前記発信元および着信を受けるユーザの少なくとも一方に前記所定のメッセージを発話する。
【０１２８】
したがって、電話機１は、前記着信音として前記連続音が出力されている場合であっても、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１２９】
（電話機１が自動応答発話を出力するタイミング：トールセーバ「オン」設定時）
電話機１は、トールセーバ設定が「オン」である場合、つまりトールセーバが「オン」に設定されている場合、発信元情報音声出力処理の途中であっても（つまり、発信元についての情報の読み上げが完了していなくとも）、リングバックトーンが所定の回数に達したら自動応答発話を出力する。
【０１３０】
トールセーバが「オン」に設定されている場合、着信から何回目のリングバックトーンの後に自動応答発話を出力するのかによって、ユーザに「新しい留守番電話メッセージが録音されているか否か」を通知する必要がある。
【０１３１】
したがって、電話機１は、トールセーバが「オン」に設定されている場合、発信元情報音声出力処理の実行途中であっても（つまり、発信元についての情報の読み上げが完了していなくとも）、リングバックトーンが所定の回数に達したら自動応答発話を出力する。
【０１３２】
すなわち、電話機１は、トールセーバ機能がオンに設定されている場合、自動応答出力部１４は、呼び出し音の鳴動回数が、新規の留守番電話メッセージが録音されているか否かに対応付けられた値になると、発話部１３によって前記発信元についての情報が音声出力されている途中であることを検知しても、前記発信元についての情報の音声出力を停止させて、前記発信元および着信を受けるユーザの少なくとも一方に前記所定のメッセージを発話する。
【０１３３】
前記の構成によれば、自動応答出力部１４は、前記トールセーバ機能がオンに設定されている場合、呼び出し音の鳴動回数が、新規の留守番電話メッセージが録音されているか否かに対応付けられた値になると、発話部１３によって前記発信元についての情報が音声出力されている途中であることを検知しても、前記発信元についての情報の音声出力を停止させて、前記発信元および着信を受けるユーザの少なくとも一方に前記所定のメッセージを発話する。
【０１３４】
ここで、従来からトールセーバ機能を備えた電話機が知られている。トールセーバ機能とは、留守番電話待機状態にしておいた留守番電話機にユーザが外出先から電話をかけて呼び出し音を聞き、呼び出し音の鳴動回数から新着の留守番電話メッセージの有無を確認することができる機能である。トールセーバ機能がオンに設定されている留守番電話機は、新着の留守番電話メッセージが有る場合、呼び出し音を例えば２回出力した後（２回鳴動させた後）、留守番メッセージなどの自動応答発話を出力する。また、トールセーバ機能がオンに設定されている留守番電話機は、新着の留守番電話メッセージが無い場合、呼び出し音を３回以上出力した（３回以上鳴動させた後）後、呼び出し音の出力回数（鳴動回数）が所定の回まで達すると、留守番メッセージなどの自動応答発話を出力する。例えば、新着の留守番電話メッセージが無い場合、呼び出し音を５回鳴動させた後に留守番メッセージを音声出力する。
【０１３５】
自動応答出力部１４は、前記トールセーバ機能がオンに設定されている場合、前記発信元についての情報が音声出力されている途中であっても、新着の留守番電話メッセージの有無に応じて、呼び出し音を所定の回数出力した後に前記発信元および着信を受けるユーザの少なくとも一方に前記所定のメッセージを発話する。
【０１３６】
したがって、電話機１は、前記トールセーバ機能がオンに設定されている場合、発話部１３によって前記発信元についての情報が音声出力されている途中であることを検知しても、新着の留守番電話メッセージの有無に応じて、呼び出し音の鳴動回数が所定の値になると前記発信元および着信を受けるユーザの少なくとも一方に前記所定のメッセージを発話することができるという効果を奏する。
【０１３７】
図４は、電話機１について、トールセーバ設定がオンの場合に、自動応答発話を出力するタイミングを説明する図である。図４に示すように、トールセーバが「オン」に設定されている場合、電話機１（特に、自動応答出力部１４）は、情報の音声出力途中でも、前記着信から所定のリングバックトーン回数で自動応答処理に切り替える。
【０１３８】
図４の（Ａ）は、電話機１について、トールセーバ設定が「オン」で、かつ、「新しい留守番電話メッセージが録音されている」場合に、自動応答発話を出力するタイミングを説明する図である。
【０１３９】
トールセーバ設定が「オン」で、かつ、新しい留守番電話メッセージがある場合、発信元情報音声出力処理の実行途中であっても、ＣＩ信号の受信回数（リングバックトーンの鳴動回数）が、「録音データ有り」時の所定のリングバックトーン回数（例えば、図４の（Ａ）に示す例では２回）になると、自動応答処理に切り替える（自動応答発話を出力する）。
【０１４０】
図４の（Ｂ）は、電話機１について、トールセーバ設定が「オン」で、かつ、「新しい留守番電話メッセージが録音されていない」場合に、自動応答発話を出力するタイミングを説明する図である。
【０１４１】
トールセーバ設定が「オン」で、かつ、新しい留守番電話メッセージが無い場合、発信元情報音声出力処理の実行途中であっても、ＣＩ信号の受信回数（リングバックトーンの鳴動回数）が、「録音データ無し」時の所定のリングバックトーン回数（例えば、図４の（Ｂ）に示す例では４回）になると、自動応答処理に切り替える（自動応答発話を出力する）。
【０１４２】
（電話機１の実行する処理の概要）
これまでに図２から図４を用いて説明してきた電話機１の実行する処理について整理すれば、以下の通りである。すなわち、電話機１の実行する処理は、発信元についての情報（例えば、テキスト情報）を音声出力可能な発話ステップと、着信から所定期間（例えば、ユーザの設定した期間）が経過した後、前記発話ステップにて前記発信元についての情報を音声出力していないことを検知したタイミングで、着信状態を終了または中断して前記発信元および着信を受けるユーザの少なくとも一方に所定のメッセージを発話する自動応答出力ステップと、を含んでいる。
【０１４３】
前記の方法（電話機１の実行する処理）によれば、前記自動応答出力ステップは、前記着信から前記所定期間が経過した後、前記発話ステップにて前記発信元についての情報を音声出力していないことを検知したタイミングで、着信状態を終了または中断して前記発信元および着信を受けるユーザの少なくとも一方に所定のメッセージを発話する。つまり、前記自動応答出力ステップは、例えば、前記発信元についての情報が音声出力されている途中に、前記発信元についての情報の音声出力を中断して前記所定のメッセージを発話することがない。
【０１４４】
したがって、電話機１の実行する処理は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１４５】
（電話機１の実行する処理の詳細）
図５は、電話機１が実行する処理の一例を示すフローチャートである。電話機１の信号取得部１１が着信（ＣＩ信号）を検出する（Ｓ１０）と、鳴動部１２は、着信音（１回目）を出力し（Ｓ２０）、つまり、例えば１回目のリンガー音を鳴動させ、その後、着信音（１回目）の出力を停止し（Ｓ３０）、つまり、例えば１回目の休止（リンガー音の休止）を行う。
【０１４６】
電話機１の発話部１３は、ＴＴＳ機能が「オン」に設定されているかを確認する（Ｓ４０）。ＴＴＳ機能が「オン」に設定されている場合（Ｓ４０でＹｅｓ）、発話部１３は、読み上げ（発信元についての情報の読み上げ）を開始する（Ｓ５０：発話ステップ）。
【０１４７】
応答条件判定部１５は、着信から所定時間（自動応答処理を実行するようユーザが設定した期間）が経過したかを確認し（Ｓ６０）、着信から所定時間が経過した（Ｓ６０でＹｅｓ）と判定すると、さらに、留守番機能が「オフ」になっているか（「在宅時自動応答」が設定されている）を確認する（Ｓ７０）。
【０１４８】
留守番機能が「オフ」になっている（「在宅時自動応答」が設定されている）場合（Ｓ７０でＹｅｓ）、応答条件判定部１５は、さらに、トールセーバが「オフ」に設定されているかを確認する（Ｓ８０）。トールセーバが「オフ」に設定されている場合（Ｓ８０でＹｅｓ）、発話部１３が発信元についての情報の読み上げを完了してから（発信元についての情報を全て読み上げてから）（Ｓ９０）、自動応答出力部１４は自動応答処理を実行する（自動応答発話を出力する）（Ｓ１００：自動応答出力ステップ）。
【０１４９】
ＴＴＳ機能が「オフ」に設定されている場合（Ｓ４０でＮｏ）、鳴動部１２は、着信音（ｎ回目）を出力した（鳴動させた）後（Ｓ１１０）、着信音（ｎ回目）の出力を停止する（休止する）（Ｓ１２０）。応答条件判定部１５は、着信から所定時間（自動応答処理を実行するようユーザが設定した期間）が経過したかを確認し（Ｓ１３０）、着信から所定時間が経過した（Ｓ１３０でＹｅｓ）と判定すると、自動応答出力部１４は自動応答処理を実行する（Ｓ１４０）。着信から所定時間が経過していない場合（Ｓ１３０でＮｏ）、鳴動部１２は、着信から所定時間が経過するまで、Ｓ１１０およびＳ１２０を繰り返す。
【０１５０】
着信から所定時間が経過していない場合（Ｓ６０でＮｏ）、発話部１３が発信元についての情報の読み上げを完了してから（発信元についての情報を全て読み上げてから）（Ｓ１５０）、鳴動部１２は、着信音（ｎ回目）を出力した（鳴動させた）後（Ｓ１６０）、着信音（ｎ回目）の出力を停止する（休止する）（Ｓ１７０）。その後、発話部１３は、読み上げ（発信元についての情報の読み上げ）（ｎ回目）を開始する（Ｓ１８０：発話ステップ）。そして、着信から所定時間が経過するまで（Ｓ６０でＹｅｓとなるまで）、Ｓ１５０からＳ１８０までの処理が繰り返される。
【０１５１】
留守番機能が「オン」になっている（「留守時自動応答」が設定されている）場合（Ｓ７０でＮｏ）、発話部１３は読み上げ（発信元についての情報の読み上げ）を停止した（中断した）後、または読み上げの音量を所定値（例えば、ミュート）にして出力した後（Ｓ１９０）、自動応答出力部１４は自動応答処理を実行する（Ｓ１００：自動応答出力ステップ）。
【０１５２】
トールセーバが「オン」に設定されている場合（Ｓ８０でＮｏ）、発話部１３は読み上げ（発信元についての情報の読み上げ）を停止した（中断した）後、または読み上げの音量を所定値（例えば、ミュート）にして出力した後（Ｓ１９０）、自動応答出力部１４は自動応答処理を実行する（Ｓ１００：自動応答出力ステップ）。
【０１５３】
図６は、電話機１について、トールセーバの設定有無と自動応答発話を出力するタイミングとの関係を示す図である。図６に示すように、電話機１（特に、応答条件判定部１５）は、トールセーバが「オン」に設定されているか否かに応じて、自動応答出力部１４が自動応答発話を出力するタイミングを切り替える。
【０１５４】
応答条件判定部１５は、トールセーバが「オン」に設定されていない場合、「発信元についての情報の音声出力を完了した」ことを発話部１３から通知されてから（つまり、発話部１３が発信元についての情報を全て読み上げた後に）、自動応答出力部１４に自動応答発話を出力させる。
【０１５５】
これに対し、応答条件判定部１５は、トールセーバが「オン」に設定されている場合、着信から所定の期間が経過すると（より正確には、着信からのリングバックトーンの出力回数が所定値になると）、発話部１３が発信元についての情報の音声出力途中であっても（つまり、「発信元についての情報の音声出力を完了した」ことを発話部１３から通知されていなくても）、発話部１３に発信元についての情報の音声出力を中断させて（つまり、途中で停止させて）、自動応答出力部１４に自動応答発話を出力させる。
【０１５６】
つまり、電話機１は、トールセーバが「オン」に設定されている場合、発信元についての情報の音声出力途中でも、前記着信から所定のリングバックトーン回数で自動応答処理に切り替える。具体的には、新しい留守番電話メッセージがある時には、発信元についての情報の音声出力途中でも、「録音データ有り」時の所定のリングバックトーン回数（例えば、図４の（Ａ）に示す例では２回）で自動応答処理に切り替える。新しい留守番電話メッセージが無い時には、発信元についての情報の音声出力途中でも、「録音データ無し」時の所定のリングバックトーン回数（例えば、図４の（Ｂ）に示す例では４回）で自動応答処理に切り替える。
【０１５７】
〔実施形態２〕
（ＴＴＳ機能オフの場合は従来のタイミングで自動応答処理に切り替える）
これまで、電話機１が、着信通知処理として、ＴＴＳ機能を実行する（発信元についての情報を音声出力する）例を説明してきた。しかしながら、電話機１は、着信通知処理として発信元情報音声出力処理を実行せず、着信音（リンガー音および着信メロディの少なくとも一方）のみを出力して、ユーザに着信を通知してもよい。
【０１５８】
電話機１は、「留守応答回数（自動応答回数）：２回」に加えて、ＴＴＳ機能が「オフ」に設定されている場合は、従来通り２つ目のＣＩ信号オフのタイミングで自動応答処理に切り替える。電話機１は、発信元情報音声出力処理を実行しないため、２つ目のＣＩ信号オンとリンガー音の２回目の鳴動とが対応する。したがって、「留守応答回数（自動応答回数）：２回」とのユーザ設定との矛盾が生じないよう、電話機１は、ユーザがリンガー音の２回目の鳴動を聞いた後、つまり、２つ目のＣＩ信号オフのタイミングで、自動応答発話を出力する。
【０１５９】
すなわち、電話機１は、前記着信があると、前記発信元についての情報の音声出力とは異なる着信音を出力する鳴動部１２を備え、発話部１３による前記発信元についての情報の音声出力が行われずに、鳴動部１２による着信音のみが出力される場合、自動応答出力部１４は、前記着信から前記所定期間が経過したタイミングで、着信状態を終了または中断して前記発信元および着信を受けるユーザの少なくとも一方に前記所定のメッセージを発話する。
【０１６０】
前記の構成によれば、自動応答出力部１４は、前記発信元についての情報の音声出力が行われずに前記着信音のみが出力される場合、前記着信から前記所定期間が経過したタイミングで、着信状態を終了または中断して前記発信元および着信を受けるユーザの少なくとも一方に前記所定のメッセージを発話する。
【０１６１】
したがって、電話機１は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１６２】
〔実施形態３〕
（発信元情報音声出力処理と自動応答処理との同時実行）
電話機１は、着信を受ける側のユーザに対する「発信元情報音声出力処理」（例えば、発信元についてのテキスト情報の読み上げ）と、発信元に対する「自動応答処理」（例えば、発信元に名乗らせるための自動応答発話の出力）と、を同時に実行してもよい。つまり、着信を受ける側のユーザに対して発信元についての情報を読み上げている期間と、発信元に対して自動応答発話を出力している期間と、が重複してもよい。
【０１６３】
電話機１は、着信を受ける側のユーザに対して発信元についてのテキスト情報を読み上げつつ、発信元に対して発信元に名乗らせるための自動応答発話を出力してもよい。なお、電話機１は、着信を受ける側のユーザに対して発信元についてのテキスト情報を読み上げている間は、発信元に対して出力する自動応答発話を、着信を受ける側のユーザに対して出力しない。着信を受ける側のユーザは、電話機１が発信元に対して自動応答発話を出力している間、当該自動応答発話ではなく、電話機１が読み上げている発信元についての情報を聞くことになる。
【０１６４】
そして、電話機１は、発信元に名乗らせるための自動応答発話に対する発信元からの回答（例えば、自信の氏名名称を名乗る発信者の声）を検出したら、発信元についての情報の読み上げを中断し、着信を受ける側のユーザに対し、発信元からの回答を音声出力してもよい。
【０１６５】
着信を受ける側のユーザは、発信元からの回答（発信者の声）を聞けば、発信元が誰か分かるので、電話機１が発信元についてのテキスト情報を読み上げなくても、着信を受ける側のユーザは、発信元が誰かを確認することができる。
【０１６６】
〔実施形態４〕
（留守時自動応答設定と在宅時自動応答設定との区別）
電話機１は、「留守時自動応答」設定されている場合と、「在宅時自動応答」設定されている場合とで、自動応答処理の内容を変えてもよい。「留守時自動応答」が設定されると、トールセーバが「オン」に設定されてもよい。
【０１６７】
「留守時自動応答」が設定されている場合、ユーザは不在であると推定できる。したがって、発信元情報音声出力処理の実行途中に自動応答処理に切り替わっても、「発信元についての情報の読み上げが中断されて、ユーザは、発信元についての情報を全て聞くことができない」という事態は発生しないと考えられる。
【０１６８】
これに対して、「在宅時自動応答」設定されている場合、ユーザは在宅であると推定できる。つまり、電話機１が発信元情報音声出力処理の実行途中に自動応答処理に切り替えた場合、「発信元についての情報の読み上げが中断されて、ユーザは、発信元についての情報を全て聞くことができない」という事態が発生し得る。したがって、「在宅時自動応答」設定されている場合、電話機１は、「発話部１３によって発信元についての情報が音声出力されていない」ことを検知したタイミングで、着信状態を終了または中断して前記発信元および着信を受けるユーザの少なくとも一方に所定のメッセージを発話する。
【０１６９】
すなわち、電話機１の自動応答出力部１４は、（ｉ）ユーザが在宅中であることが設定されていると、前記着信から前記所定期間が経過した後、発話部１３によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されていると、発話部１３によって前記発信元についての情報が音声出力されている途中であることを検知しても、前記着信から前記所定期間が経過したタイミングで、着信状態を終了または中断して前記発信元および着信を受けるユーザの少なくとも一方に前記所定のメッセージを発話する。
【０１７０】
前記の構成によれば、自動応答出力部１４は、前記所定期間が着信から経過すると、（ｉ）ユーザが在宅中であることが設定されていると、発話部１３によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されていると、発話部１３によって前記発信元についての情報が音声出力されている途中であることを検知しても、前記発信元についての情報の音声出力を停止させて（中断させて）、前記所定のメッセージを発話する。
【０１７１】
ユーザが留守中であることが設定されているときは、着信に応じて音声出力される前記発信元についての情報を聞くユーザが不在であると推定できる。したがって、前記発信元についての情報が音声出力されている途中であっても、前記発信元についての情報の音声出力を停止させて（中断させて）、前記所定のメッセージを発話させたとしても、ユーザにとって支障はない。
【０１７２】
これに対し、ユーザが在宅中であることが設定されているときは、ユーザが、着信に応じて音声出力される前記発信元についての情報を聞いていると考えられる。したがって、電話機１は、前記発信元についての情報が音声出力されていないことを検知したタイミングで、着信状態を終了または中断して前記発信元および着信を受けるユーザの少なくとも一方に前記所定のメッセージを発話するのが好ましい。
【０１７３】
電話機１は、前記所定期間が着信から経過すると、（ｉ）ユーザが在宅中であることが設定されているときは、発話部１３によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されているときは、発話部１３によって前記発信元についての情報が音声出力されている途中であっても、前記発信元についての情報の音声出力を停止させて（中断させて）、前記所定のメッセージを発話することにより、ユーザ利便性を向上させることができるという効果を奏する。
【０１７４】
〔実施形態５〕
（ソフトウェアによる実現例）
電話機１の制御部１０は、集積回路（ＩＣチップ）等に形成された論理回路（ハードウェア）によって実現してもよいし、ＣＰＵ（Central Processing Unit）を用いてソフト
ウェアによって実現してもよい。
【０１７５】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７６】
〔まとめ〕
本発明の態様１に係る通信端末装置（電話機１）は、発信元についての情報（例えば、テキスト情報）を音声出力可能な発話部（１３）と、着信から所定期間（例えば、ユーザの設定した期間）が経過した後、前記発話部によって前記発信元についての情報が音声出力されていないことを検知したタイミングで、着信状態を終了または中断して前記発信元および着信を受けるユーザの少なくとも一方に所定のメッセージを発話する自動応答出力部（１４）と、を備えている。
【０１７７】
前記の構成によれば、前記自動応答出力部は、前記着信から前記所定期間が経過した後、前記発話部によって前記発信元についての情報が音声出力されていないことを検知したタイミングで、着信状態を終了または中断して前記発信元および着信を受けるユーザの少なくとも一方に所定のメッセージを発話する。つまり、前記自動応答出力部は、例えば、前記発信元についての情報が音声出力されている途中に、前記発信元についての情報の音声出力を中断して前記所定のメッセージを発話することがない。
【０１７８】
したがって、前記通信端末装置は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１７９】
本発明の態様２に係る通信端末装置は、上記態様１において、前記着信があると、前記発信元についての情報の音声出力とは異なる着信音を出力する鳴動部（１２）をさらに備え、前記発話部による前記発信元についての情報の音声出力が行われずに、前記鳴動部による着信音のみが出力される場合、前記自動応答出力部は、前記着信から前記所定期間が経過したタイミングで、着信状態を終了または中断して前記発信元および着信を受けるユーザの少なくとも一方に前記所定のメッセージを発話してもよい。
【０１８０】
前記の構成によれば、前記自動応答出力部は、前記発信元についての情報の音声出力が行われずに前記着信音のみが出力される場合、前記着信から前記所定期間が経過したタイミングで、着信状態を終了または中断して前記発信元および着信を受けるユーザの少なくとも一方に前記所定のメッセージを発話する。
【０１８１】
したがって、前記通信端末装置は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１８２】
本発明の態様３に係る通信端末装置は、上記態様２において、前記鳴動部は、前記着信音として、ＣＩ信号のオンオフの周期と同期して鳴動と休止とを繰り返すリンガー音を出力し、前記自動応答出力部は、前記鳴動部による前記リンガー音の出力回数が前記着信から所定の回数に達したとき、前記着信から前記所定期間が経過したとして、前記発話部によって前記発信元についての情報が音声出力されていないことを検知したタイミングで、着信状態を終了または中断して前記発信元および着信を受けるユーザの少なくとも一方に前記所定のメッセージを発話してもよい。
【０１８３】
前記の構成によれば、前記自動応答出力部は、前記リンガー音の出力回数が前記着信から所定の回数に達した後、前記発話部によって前記発信元についての情報が音声出力されていないことを検知したタイミングで、着信状態を終了または中断して前記発信元および着信を受けるユーザの少なくとも一方に前記所定のメッセージを発話する。
【０１８４】
ここで、従来の電話機は、前記ＣＩ信号のオンオフの切り替え回数が前記着信から所定の回数に達したタイミングで、つまり、前記ＣＩ信号のオンになった回数（前記ＣＩ信号の受信回数）が前記着信から所定の回数に達したタイミングで、留守番電話機能などの自動応答機能を実行していた。そのため、従来の電話機は、前記発信元についての情報の音声出力の途中で前記ＣＩ信号がオンになると、前記音声出力を中断して、つまり、途中で停止して、留守番メッセージなどの所定の応答を発話していた。
【０１８５】
これに対し、前記自動応答出力部は、前記ＣＩ信号のオンオフの切り替え回数（前記ＣＩ信号の受信回数）が前記着信から所定の回数に達した後ではなく、前記リンガー音の出力回数（鳴動回数）が前記着信から所定の回数に達した後に、着信状態を終了または中断して前記発信元および着信を受けるユーザの少なくとも一方に前記所定のメッセージを発話する。つまり、前記自動応答出力部は、前記発信元についての情報の音声出力の途中で前記ＣＩ信号がオンになった（前記着信からの前記ＣＩ信号の受信回数が所定の回数に達した）としても前記音声出力を中断せず、前記発信元についての情報の音声出力が完了してから前記所定のメッセージを発話する。
【０１８６】
したがって、前記通信端末装置は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１８７】
本発明の態様４に係る通信端末装置は、上記態様２において、前記鳴動部は、前記着信音として、連続する一連の音である連続音（メロディ）の再生を継続するとともに、前記発話部による前記発信元についての情報の音声出力中は、前記連続音の音量をゼロまたは所定の値として、前記連続音を出力し、前記自動応答出力部は、ＣＩ信号のオンオフの切り替え回数が前記着信から所定の回数に達したとき、前記着信から前記所定期間が経過したとして、前記発話部によって前記発信元についての情報が音声出力されていないことを検知したタイミングで、着信状態を終了または中断して前記発信元および着信を受けるユーザの少なくとも一方に前記所定のメッセージを発話してもよい。
【０１８８】
前記の構成によれば、前記着信音として前記連続音（例えば、着信メロディ）が出力されている場合、前記自動応答出力部は、前記ＣＩ信号のオンオフの切り替え回数が前記着信から所定の回数に達した後、前記発信元についての情報が音声出力されていないことを検知したタイミングで、着信状態を終了または中断して前記発信元および着信を受けるユーザの少なくとも一方に前記所定のメッセージを発話する。
【０１８９】
したがって、前記通信端末装置は、前記着信音として前記連続音が出力されている場合であっても、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０１９０】
本発明の態様５に係る通信端末装置は、上記態様１から４のいずれかにおいて、トールセーバ機能がオンに設定されている場合、前記自動応答出力部は、呼び出し音の鳴動回数が、新規の留守番電話メッセージが録音されているか否かに対応付けられた値になると、前記発話部によって前記発信元についての情報が音声出力されている途中であることを検知しても、前記発信元についての情報の音声出力を停止させて、前記発信元および着信を受けるユーザの少なくとも一方に前記所定のメッセージを発話してもよい。
【０１９１】
前記の構成によれば、前記自動応答出力部は、前記トールセーバ機能がオンに設定されている場合、呼び出し音の鳴動回数が、新規の留守番電話メッセージが録音されているか否かに対応付けられた値になると、前記発話部によって前記発信元についての情報が音声出力されている途中であることを検知しても、前記発信元についての情報の音声出力を停止させて、前記発信元および着信を受けるユーザの少なくとも一方に前記所定のメッセージを発話する。
【０１９２】
ここで、従来からトールセーバ機能を備えた電話機が知られている。トールセーバ機能とは、留守番電話待機状態にしておいた留守番電話機にユーザが外出先から電話をかけて呼び出し音を聞き、呼び出し音の鳴動回数から新着の留守番電話メッセージの有無を確認することができる機能である。トールセーバ機能がオンに設定されている留守番電話機は、新着の留守番電話メッセージが有る場合、呼び出し音を例えば２回出力した後（２回鳴動させた後）、留守番メッセージなどの自動応答発話を出力する。また、トールセーバ機能がオンに設定されている留守番電話機は、新着の留守番電話メッセージが無い場合、呼び出し音を３回以上出力した（３回以上鳴動させた後）後、呼び出し音の出力回数（鳴動回数）が所定の回まで達すると、留守番メッセージなどの自動応答発話を出力する。例えば、新着の留守番電話メッセージが無い場合、呼び出し音を５回鳴動させた後に留守番メッセージを音声出力する。
【０１９３】
前記自動応答出力部は、前記トールセーバ機能がオンに設定されている場合、前記発信元についての情報が音声出力されている途中であっても、新着の留守番電話メッセージの有無に応じて、呼び出し音を所定の回数出力した後に前記発信元および着信を受けるユーザの少なくとも一方に前記所定のメッセージを発話する。
【０１９４】
したがって、前記通信端末装置は、前記トールセーバ機能がオンに設定されている場合、前記発話部によって前記発信元についての情報が音声出力されている途中であることを検知しても、新着の留守番電話メッセージの有無に応じて、呼び出し音の鳴動回数が所定の値になると前記発信元および着信を受けるユーザの少なくとも一方に前記所定のメッセージを発話することができるという効果を奏する。
【０１９５】
本発明の態様６に係る通信端末装置は、上記態様１から５のいずれかにおいて、前記自動応答出力部は、（ｉ）ユーザが在宅中であることが設定されていると、前記着信から前記所定期間が経過した後、前記発話部によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されていると、前記発話部によって前記発信元についての情報が音声出力されている途中であることを検知しても、前記着信から前記所定期間が経過したタイミングで、着信状態を終了または中断して前記発信元および着信を受けるユーザの少なくとも一方に前記所定のメッセージを発話してもよい。
【０１９６】
前記の構成によれば、前記自動応答出力部は、前記着信から前記所定期間が経過すると、（ｉ）ユーザが在宅中であることが設定されていると、前記発話部によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されていると、前記発話部によって前記発信元についての情報が音声出力されている途中であることを検知しても、前記発信元についての情報の音声出力を停止させて（中断させて）、前記所定のメッセージを発話する。
【０１９７】
ユーザが留守中であることが設定されているときは、着信に応じて音声出力される前記発信元についての情報を聞くユーザが不在であると推定できる。したがって、前記発信元についての情報が音声出力されている途中であっても、前記発信元についての情報の音声出力を停止させて（中断させて）、前記所定のメッセージを発話させたとしても、ユーザにとって支障はない。
【０１９８】
これに対し、ユーザが在宅中であることが設定されているときは、ユーザが、着信に応じて音声出力される前記発信元についての情報を聞いていると考えられる。したがって、前記通信端末装置は、前記発信元についての情報が音声出力されていないことを検知したタイミングで、前記所定のメッセージを発話するのが好ましい。
【０１９９】
前記通信端末装置は、前記所定期間が着信から経過すると、（ｉ）ユーザが在宅中であることが設定されているときは、前記発話部によって前記発信元についての情報が音声出力されていないことを検知したタイミングで、着信状態を終了または中断して前記発信元および着信を受けるユーザの少なくとも一方に前記所定のメッセージを発話し、（ｉｉ）ユーザが留守中であることが設定されているときは、前記発話部によって前記発信元についての情報が音声出力されている途中であっても、前記発信元についての情報の音声出力を停止させて（中断させて）、前記所定のメッセージを発話することにより、ユーザ利便性を向上させることができるという効果を奏する。
【０２００】
本発明の態様７に係る通信端末装置は、上記態様１から６のいずれかにおいて、前記発信元についての情報は、前記発信元についてのテキスト情報であってもよい。
【０２０１】
前記の構成によれば、前記発話部は、前記発信元についてのテキスト情報を音声出力することができる。
【０２０２】
したがって、前記通信端末装置は、前記発信元についてのテキスト情報を音声出力することができるという効果を奏する。
【０２０３】
本発明の態様８に係る通信端末装置（電話機１）の制御方法は、発信元についての情報を音声出力可能な発話ステップ（Ｓ５０およびＳ１８０）と、着信から所定期間が経過した後、前記発話ステップにて前記発信元についての情報を音声出力していないことを検知したタイミングで、着信状態を終了または中断して前記発信元および着信を受けるユーザの少なくとも一方に所定のメッセージを発話する自動応答出力ステップ（Ｓ１００）と、を含んでいる。
【０２０４】
前記の方法によれば、前記自動応答出力ステップは、前記着信から前記所定期間が経過した後、前記発話ステップにて前記発信元についての情報を音声出力していないことを検知したタイミングで、着信状態を終了または中断して前記発信元および着信を受けるユーザの少なくとも一方に所定のメッセージを発話する。つまり、前記自動応答出力ステップは、例えば、前記発信元についての情報が音声出力されている途中に、前記発信元についての情報の音声出力を中断して前記所定のメッセージを発話することがない。
【０２０５】
したがって、前記通信端末装置の制御方法は、前記着信から前記所定期間が経過した後、前記発信元についての情報の音声出力を中断せずに前記所定のメッセージ発話などの自動応答機能を実行することにより、ユーザ利便性を向上させることができるという効果を奏する。
【０２０６】
本発明の各態様に係る電話機１（通信端末装置）は、コンピュータによって実現してもよく、この場合には、コンピュータを電話機１が備える各部（ソフトウェア要素）として動作させることにより電話機１をコンピュータにて実現させる電話機１の制御プログラム、およびそれを記録したコンピュータ読み取り可能な記録媒体も、本発明の範疇に入る。
【０２０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２０８】
１  電話機（通信端末装置）
１２  鳴動部
１３  発話部
１４  自動応答出力部
【図１】
0006727942.tif 000002
【図２】
0006727942.tif 000003
【図３】
0006727942.tif 000004
【図４】
0006727942.tif 000005
【図５】
0006727942.tif 000006
【図６】
0006727942.tif 000007
【図７】
0006727942.tif 000008
【図８】
0006727942.tif 000009
【図９】
0006727942.tif 000010
【図１０】
0006727942.tif 000011
【図１１】
0006727942.tif 000012
【図１２】
0006727942.tif 000013